(57)【要約】  少なくとも片面に情報記録面を有するディスクの一部を収納する空間をそれぞれ有し、互いに接合させることにより、ディスク全体を収納する第１および第２のディスク収納部と、前記ディスクを外部からチャッキングし、および、前記ディスクの情報記録面に対して情報の記録および再生の少なくとも一方を行うヘッドがアクセスするための開口を前記ディスクに対して形成または閉塞するように前記第１および第２のディスク収納部をそれぞれ回転支持するディスク収納部用回転支持部を有する支持ベース部材とを備え、前記支持ベース部材の少なくとも一部は、前記第１および第２のディスク収納部が前記ディスクと垂直な方向へ移動するのを抑制するように前記第１および第２のディスク収納部と重なっているディスクカートリッジ。
2009534777.tif 000002
【特許請求の範囲】
【請求項１】
少なくとも片面に情報記録面を有するディスクの一部を収納する空間をそれぞれ有し、互いに接合させることにより、ディスク全体を収納する第１および第２のディスク収納部と、
前記ディスクを外部からチャッキングし、および、前記ディスクの情報記録面に対して情報の記録および再生の少なくとも一方を行うヘッドがアクセスするための開口を前記ディスクに対して形成または閉塞するように前記第１および第２のディスク収納部をそれぞれ回転支持するディスク収納部用回転支持部を有する支持ベース部材と、
を備え、
前記支持ベース部材の少なくとも一部は、前記第１および第２のディスク収納部が前記ディスクと垂直な方向へ移動するのを抑制するように前記第１および第２のディスク収納部と重なっているディスクカートリッジ。
【請求項２】
前記第１および第２のディスク収納部のそれぞれは、ディスクの一部を収納する扁平な空間を有し、
前記第１および第２のディスク収納部は、前記第１および第２のディスク収納部が閉塞した状態で、少なくとも前記支持ベース部材と重ならない部分において、前記ディスクが露出しないように、前記ディスクを覆っている請求項１に記載のディスクカートリッジ。
【請求項３】
前記支持ベース部材は、閉塞した状態の第１および第２のディスク収納部に収納されたディスクの中心よりも前記ディスク収納部用回転支持部側でのみ前記第１および第２のディスク収納部と重なっている請求項２に記載のディスクカートリッジ。
【請求項４】
前記第１および第２のディスク収納部は互いに噛み合う部位を有し、互いに逆方向に同期して回転する請求項３に記載のディスクカートリッジ。
【請求項５】
前記支持ベース部材は、第１および第２のロック部材を有し、前記第１および第２のロック部材は、前記第1および第２のディスク収納部が閉塞する状態において、前記第１および前記第２のディスク収納部の回転をそれぞれ防止する請求項４に記載のディスクカートリッジ。
【請求項６】
前記第１および第２のディスク収納部の閉塞した状態において、前記第１および／または第２のディスク収納部が前記支持ベース部材に対して回転しないようにロックする少なくとも１つのロック部材を備え、
前記第１および第２のディスク収納部は、前記ディスクを外部へ取り出すことができない第１の開放状態と、前記ディスクを外部へ取り出すことができる第２の開放状態をとり得る、請求項５に記載のディスクカートリッジ。
【請求項７】
前記第１および第２のロック部材のそれぞれは、前記支持ベース部材に設けられたロック部材用回転支持部により回転支持されており、
前記第１および第２のディスク収納部が閉塞した状態で、前記第１および第２のディスク収納部のそれぞれに設けられた係止部と当接する係止レバー部と、
前記第１および第２のディスク収納部が開放するように回転する方向と同じ方向に前記第１および第２のロック部材が回転するのを、前記支持ベース部材の一部と当接することにより制限する規制面と、
ロック解除レバーと、
前記第１および第２のディスク収納部が開放するように回転する方向と同じ方向に前記第１および第２のロック部材が回転するように付勢する付勢部と、
を含み、
前記ロック部材用回転支持部とディスク収納部材用回転支持部との距離は、前記第１および第２のディスク収納部の係止部と前記ディスク収納部用回転支持部との距離と等しいかまたは短く、
前記第１および第２のディスク収納部が閉塞した状態から回転する場合において、
前記第１および第２のディスク収納部の係止部が前記係止レバー部と当接することにより、前記第１および第２のロック部材が前記第１および第２のディスク収納部とそれぞれ同じ方向に回転するのを、前記規制面が前記支持ベース部材の一部と当接することにより、制限し、
前記ロック解除レバーを押下することにより、前記第１および第２のロック部材を逆方向に回転させ、前記前記第１および第２のディスク収納部の係止部と前記係止レバー部と当接を解除する請求項６に記載のディスクカートリッジ。
【請求項８】
前記第１および第２のディスク収納部の少なくとも一方は、前記第１および第２の収納部を開放または閉塞するために外部のディスク装置と係合する駆動用係合部を有する請求項７に記載のディスクカートリッジ。
【請求項９】
前記駆動用係合部は、前記第１および第２のディスク収納部の側面に開口を有する溝である請求項８に記載のディスクカートリッジ。
【請求項１０】
前記第１および第２のロック部材は、前記ディスク収納部用回転支持部の中心を結んだ線分における中点と前記ディスクの中心とを結ぶ線分および前記ディスクの回転中心軸を含む平面に対して対称に配置されている請求項９に記載のディスクカートリッジ。
【請求項１１】
前記ロック部材は、前記第１および／または第２のディスク収納部に移動可能な状態で保持され、
前記ロック部材は、
前記第１および第２のディスク収納部が閉塞した状態で、第１および第２のディスク収納部が前記支持ベース部材に対して回転しないようにロックする第１の位置と、
前記第１および第２のディスク収納部が回転可能であり、前記第１および第２のディスク収納部の閉塞状態と前記第１の開放状態との間を移行可能とする、第２の位置と、
前記第１の開放状態における、第３の位置と、
前記第２の開放状態における、第４の位置と、
をとり得る請求項１０に記載のディスクカートリッジ。
【請求項１２】
前記第１および第２のディスク収納部は互いに噛み合う部位を有し、互いに逆方向に同期して回転する請求項１に記載のディスクカートリッジ。
【請求項１３】
前記支持ベース部材は、第１および第２のロック部材を有し、前記第１および第２のロック部材は、前記第1および第２のディスク収納部が閉塞する状態において、前記第１および前記第２のディスク収納部の回転をそれぞれ防止する請求項１２に記載のディスクカートリッジ。
【請求項１４】
前記第１および第２のロック部材のそれぞれは、前記支持ベース部材に設けられたロック部材用回転支持部により回転支持されており、
前記第１および第２のディスク収納部が閉塞した状態で、前記第１および第２のディスク収納部のそれぞれに設けられた係止部と当接する係止レバー部と、
前記第１および第２のディスク収納部が開放するように回転する方向と同じ方向に前記第１および第２のロック部材が回転するのを、前記支持ベース部材の一部と当接することにより制限する規制面と、
ロック解除レバーと、
前記第１および第２のディスク収納部が開放するように回転する方向と同じ方向に前記第１および第２のロック部材が回転するように付勢する付勢部と、
を含み、
前記ロック部材用回転支持部とディスク収納部材用回転支持部との距離は、前記第１および第２のディスク収納部の係止部と前記ディスク収納部用回転支持部との距離と等しいかまたは短く、
前記第１および第２のディスク収納部が閉塞した状態から回転する場合において、
前記第１および第２のディスク収納部の係止部が前記係止レバー部と当接することにより、前記第１および第２のロック部材が前記第１および第２のディスク収納部とそれぞれ同じ方向に回転するのを、前記規制面が前記支持ベース部材の一部と当接することにより、制限し、
前記ロック解除レバーを押下することにより、前記第１および第２のロック部材を逆方向に回転させ、前記前記第１および第２のディスク収納部の係止部と前記係止レバー部と当接を解除する請求項１３に記載のディスクカートリッジ。
【請求項１５】
前記第１および第２のロック部材は、前記ディスク収納部用回転支持部の中心を結んだ線分における中点と前記ディスクの中心とを結ぶ線分および前記ディスクの回転中心軸を含む平面に対して対称に配置されている請求項１３に記載のディスクカートリッジ。
【請求項１６】
前記第１および第２のディスク収納部の少なくとも一方は、前記第１および第２の収納部を開放または閉塞するために外部のディスク装置と係合する駆動用係合部を有する請求項１に記載のディスクカートリッジ。
【請求項１７】
前記駆動用係合部は、前記第１および第２のディスク収納部の側面に開口を有する溝である請求項１６に記載のディスクカートリッジ。
【請求項１８】
前記第１および第２のディスク収納部の閉塞した状態において、前記第１および／または第２のディスク収納部が前記支持ベース部材に対して回転しないようにロックする少なくとも１つのロック部材を備え、
前記第１および第２のディスク収納部は、前記ディスクを外部へ取り出すことができない第１の開放状態と、前記ディスクを外部へ取り出すことができる第２の開放状態をとり得る、請求項１に記載のディスクカートリッジ。
【請求項１９】
前記ロック部材は、前記第１および／または第２のディスク収納部に移動可能な状態で保持され、
前記ロック部材は、
前記第１および第２のディスク収納部が閉塞した状態で、第１および第２のディスク収納部が前記支持ベース部材に対して回転しないようにロックする第１の位置と、
前記第１および第２のディスク収納部が回転可能であり、前記第１および第２のディスク収納部の閉塞状態と前記第１の開放状態との間を移行可能とする、第２の位置と、
前記第１の開放状態における、第３の位置と、
前記第２の開放状態における、第４の位置と、
をとり得る請求項１８に記載のディスクカートリッジ。
【発明の詳細な説明】
【技術分野】
【０００１】
本発明は、光ディスク、磁気ディスク等のディスク状の情報記録媒体を収納するディスクカートリッジに関する。
【背景技術】
【０００２】
従来よりディスク状の情報記録媒体を保持するための種々のディスクカートリッジが提案されている。
【０００３】
例えば、特許文献１は、片面または両面に情報記録面を有するディスク状の記録媒体（以下ディスクと称する）が、上ハウジングおよび下ハウジングからなる支持ベース部材の内部に設けたディスク収納部の中に、完全に覆われた形で収納されるディスクカートリッジを開示している。この支持ベース部材には、スピンドルモータのターンテーブルおよびクランパがディスクをチャッキングするためのチャッキング開口部と、ヘッドがディスクに対して情報の再生および記録を行うためのヘッド開口部が形成されている。チャッキング開口部とヘッド開口部とは連なっており、カートリッジを携帯して搬送する際、これらの開口部から埃が侵入したりディスクに指紋が付着したりしやすい。このため、これらの開口部を覆うシャッタがディスクカートリッジに形成されている。
【特許文献１】特開平９−１５３２６４号公報
【発明の開示】
【発明が解決しようとする課題】
【０００４】
ディスクをチャッキングしたり、ディスクの情報記録面全体に光ヘッドがアクセスしたりするためには、こうした開口部をカートリッジの中央から端部にかけて設ける必要がある。また、この構造のディスクカートリッジの場合、シャッタがカートリッジのケースに対して直線的に移動し、シャッタ開放時にシャッタが退避する領域が必要となる。これらのことから、開口部の大きさは、カートリッジの外形のサイズに依存することになり、小型カートリッジに大きな開口部を設けることは設計上困難となる。その結果、小型カートリッジが使用される小型機器やディスクビデオカメラにおいては、光ヘッドの大きさに制限を与えてしまうという問題点があった。
【０００５】
また、ディスク装置にディスクカートリッジを装填し、記録再生を行う場合、ディスクカートリッジのディスク装置への位置決め誤差を許容するための空間を、上ハウジングと下ハウジングとの間に形成されるディスクを収納する空間に確保する必要が生じる。このため、カートリッジの外形が大きくなってしまう。また、位置決め誤差を許容するためには、ディスクが空間内において移動可能である必要がある。しかし、これにより、ディスクがディスクカートリッジ内でガタつき、ディスクの情報記録面が傷ついたり、ディスクとカートリッジ内壁との衝突により、粉塵を生じ、その粉塵がディスクに付着するという問題点もあった。
【０００６】
また、下ハウジングにはスピンドルモータのターンテーブルおよびヘッドがアクセスする開口部が必要であり、上ハウジングにはクランパがアクセスする開口部が必要となる。これらを同時に塞ぐためのシャッタは、上ハウジングから下ハウジングにかけて連なるＣ字形状を備えている必要がある。しかし、このような形状のシャッタは高価であるため、ディスクカートリッジの製造コストが上昇してしまう。また、Ｃ字形状のシャッタを開放または閉塞させるための移動ガイド部をヘッド開口部に架橋するように上ハウジングもしくは下ハウジングに設ける必要があり、この移動ガイド部が、ヘッドの高さを制限してしまう。
【０００７】
さらに、このようなＣ字形状のシャッタは、ディスクカートリッジの厚さを大きく増大させないように、薄い板状に形成する必要がある。その結果、十分な強度を確保することができず、ディスクカートリッジに衝撃が加わった場合、シャッタが破損したり、誤ってカートリッジを踏んだ場合、シャッタが変形してディスクの情報記録面に傷をつけたりする可能性がある。
【０００８】
本発明はこのような課題の少なくとも１つを解決し、外形が小さくても大きなヘッド開口部を設けることが可能なディスクカートリッジを提供することを目的とする。
【課題を解決するための手段】
【０００９】
本発明のディスクカートリッジは、少なくとも片面に情報記録面を有するディスクの一部を収納する空間をそれぞれ有し、互いに接合させることにより、ディスク全体を収納する第１および第２のディスク収納部と、前記ディスクを外部からチャッキングし、および、前記ディスクの情報記録面に対して情報の記録および再生の少なくとも一方を行うヘッドがアクセスするための開口を前記ディスクに対して形成または閉塞するように前記第１および第２のディスク収納部をそれぞれ回転支持するディスク収納部用回転支持部を有する支持ベース部材とを備え、前記支持ベース部材の少なくとも一部は、前記第１および第２のディスク収納部が前記ディスクと垂直な方向へ移動するのを抑制するように前記第１および第２のディスク収納部と重なっている。
【００１０】
ある好ましい実施形態において、前記第１および第２のディスク収納部のそれぞれは、ディスクの一部を収納する扁平な空間を有し、前記第１および第２のディスク収納部は、前記第１および第２のディスク収納部が閉塞した状態で、少なくとも前記支持ベース部材と重ならない部分において、前記ディスクが露出しないように、前記ディスクを覆っている。
【００１１】
ある好ましい実施形態において、前記支持ベース部材は、閉塞した状態の第１および第２のディスク収納部に収納されたディスクの中心よりも前記ディスク収納部用回転支持部側でのみ前記第１および第２のディスク収納部と重なっている。
【００１２】
ある好ましい実施形態において、前記第１および第２のディスク収納部は互いに噛み合う部位を有し、互いに逆方向に同期して回転する。
【００１３】
ある好ましい実施形態において、前記支持ベース部材は、第１および第２のロック部材を有し、前記第１および第２のロック部材は、前記第1および第２のディスク収納部が閉塞する状態において、前記第１および前記第２のディスク収納部の回転をそれぞれ防止する。
【００１４】
ある好ましい実施形態において、ディスクカートリッジは、前記第１および第２のディスク収納部の閉塞した状態において、前記第１および／または第２のディスク収納部が前記支持ベース部材に対して回転しないようにロックする少なくとも１つのロック部材を備え、前記第１および第２のディスク収納部は、前記ディスクを外部へ取り出すことができない第１の開放状態と、前記ディスクを外部へ取り出すことができる第２の開放状態をとり得る。
【００１５】
ある好ましい実施形態において、前記第１および第２のロック部材のそれぞれは、前記支持ベース部材に設けられたロック部材用回転支持部により回転支持されており、前記第１および第２のディスク収納部が閉塞した状態で、前記第１および第２のディスク収納部のそれぞれに設けられた係止部と当接する係止レバー部と、前記第１および第２のディスク収納部が開放するように回転する方向と同じ方向に前記第１および第２のロック部材が回転するのを、前記支持ベース部材の一部と当接することにより制限する規制面と、ロック解除レバーと、前記第１および第２のディスク収納部が開放するように回転する方向と同じ方向に前記第１および第２のロック部材が回転するように付勢する付勢部とを含み、前記ロック部材用回転支持部とディスク収納部材用回転支持部との距離は、前記第１および第２のディスク収納部の係止部と前記ディスク収納部用回転支持部との距離と等しいかまたは短く、前記第１および第２のディスク収納部が閉塞した状態から回転する場合において、前記第１および第２のディスク収納部の係止部が前記係止レバー部と当接することにより、前記第１および第２のロック部材が前記第１および第２のディスク収納部とそれぞれ同じ方向に回転するのを、前記規制面が前記支持ベース部材の一部と当接することにより制限し、前記ロック解除レバーを押下することにより、前記第１および第２のロック部材を逆方向に回転させ、前記前記第１および第２のディスク収納部の係止部と前記係止レバー部と当接を解除する。
【００１６】
ある好ましい実施形態において、前記第１および第２のディスク収納部の少なくとも一方は、前記第１および第２の収納部を開放または閉塞するために外部のディスク装置と係合する駆動用係合部を有する。
【００１７】
ある好ましい実施形態において、前記駆動用係合部は、前記第１および第２のディスク収納部の側面に開口を有する溝である。
【００１８】
ある好ましい実施形態において、前記第１および第２のロック部材は、前記ディスク収納部用回転支持部の中心を結んだ線分における中点と前記ディスクの中心とを結ぶ線分および前記ディスクの回転中心軸を含む平面に対して対称に配置されている。
【００１９】
ある好ましい実施形態において、前記ロック部材は、前記第１および／または第２のディスク収納部に移動可能な状態で保持され、前記ロック部材は、前記第１および第２のディスク収納部が閉塞した状態で、第１および第２のディスク収納部が前記支持ベース部材に対して回転しないようにロックする第１の位置と、前記第１および第２のディスク収納部が回転可能であり、前記第１および第２のディスク収納部の閉塞状態と前記第１の開放状態との間を移行可能とする第２の位置と、前記第１の開放状態における第３の位置と、前記第２の開放状態における第４の位置とをとり得る。
【発明の効果】
【００２０】
本発明のディスクカートリッジによれば、カートリッジ外形を規定していた従来のハウジングをなくし、カートリッジ外形を規定し、かつシャッタ機能も有する一対のディスク収納部を備える。一対のディスク収納部は開放することにより、従来のシャッタ付きのディスクカートリッジの開口部に必要であったシャッタ用の移動ガイド部が存在しない大きなヘッド開口部を構成できる。従って小型カートリッジにおいても大型カートリッジと同等のヘッド開口部を設けることができる。また、一対のディスク収納部の一部と重なる支持ベース部材を備えているため、収納したディスクと垂直な方向への変形にも強い堅牢なディスクカートリッジが実現する。
【００２１】
本発明の他の特徴、要素、プロセス、工程、特性および長所は、添付された図面を参照することにより、以下の発明の好ましい実施形態の詳細な説明からより明らかになるであろう。
【発明を実施するための最良の形態】
【００２２】
（第１の実施形態）
以下、本発明によるディスクカートリッジの第１の実施形態を説明する。
【００２３】
図１（ａ）は、ディスク１００を収納し、第１のディスク収納部２０１および第２のディスク収納部３０１を開放した状態のディスクカートリッジ１１を上方から見た斜視図であり、図１（ｂ）は、第１のディスク収納部２０１および第２のディスク収納部３０１を閉塞した状態のディスクカートリッジ１１を上方から見た斜視図である。
【００２４】
図２（ａ）は、ディスク１００を収納し、第１のディスク収納部２０１および第２のディスク収納部３０１を開放した状態のディスクカートリッジ１１を情報記録面１００Ａ側から見た斜視図であり、図２（ｂ）は第１のディスク収納部２０１および第２のディスク収納部３０１を閉塞した状態のディスクカートリッジ１１を情報記録面１００Ａ側から見た斜視図である。
【００２５】
図３（ａ）はディスク１００を収納し、第１のディスク収納部２０１および第２のディスク収納部３０１を開放した状態のディスクカートリッジ１１の上平面図であり、図３（ｂ）は第１のディスク収納部２０１と第２のディスク収納部３０１を閉塞した状態のディスクカートリッジ１１の上平面図である。
【００２６】
図４（ａ）はディスク１００を収納し、第１のディスク収納部２０１と第２のディスク収納部３０１を開放した状態のディスクカートリッジ１１の底面図であり、図４（ｂ）は第１のディスク収納部２０１と第２のディスク収納部３０１を閉塞した状態のディスクカートリッジ１１の底面図である。
【００２７】
これらの図に示すようにディスクカートリッジ１１は、第１のディスク収納部２０１、第２のディスク収納部３０１および支持ベース部材４００を備え、ディスク１００を収納する。
【００２８】
ディスク１００は、第１および第２の面を備えており、図１（ａ）、図３（ａ）では、第１の面であり、通常ディスクのラベル等が描かれている面が示されており、ディスク１００の第２の面である情報記録面１００Ａは、裏面として示されている。また、図２（ａ）、図４（ａ）では、第２の面であり、情報記録面１００Ａの面が示されている。なお、第１および第２の面の両方に情報記録面１００Ａが設けられているディスクをディスクカートリッジ１１に収納することも可能である。また、一般に、ディスク１００を収納したディスクカートリッジ１１全体を単にディスクあるいは情報記録媒体と呼ぶ場合がある。
【００２９】
図５は、ディスク１００を収納せずに、第１のディスク収納部２０１と第２のディスク収納部３０１を開放した状態のディスクカートリッジ１１の上面図である。図５に示したように、外部からディスク１００を回転させるためのスピンドルモータのチャッキング部材が侵入できるよう開口したチャッキング開口部７０１と、ディスク１００の情報記録面１００Ａに対して情報の再生および記録の少なくとも一方を行うヘッドが侵入し、アクセスできるよう開口したヘッド開口部７０２とが第１のディスク収納部２０１と第２のディスク収納部３０１との間に形成される。これらの開口部は、第１のディスク収納部２０１および第２のディスク収納部３０１が開放した状態において、第１のディスク収納部２０１および第２のディスク収納部３０１の間に形成される略扇型の開口領域内に位置する。
【００３０】
このとき、第１のディスク収納部２０１および第２のディスク収納部３０１の一部は、側面１０ｈ、１０ｇで規定されるディスクカートリッジ１１の幅よりも外側に突出した状態をとる。このため、ディスク１００を含めたディスクカートリッジ１１のディスク１００と平行な面への投影面積は第１のディスク収納部２０１および第２のディスク収納部３０１が閉塞した状態に比べて開放した状態のほうが大きくなる。
【００３１】
本実施形態では、ディスク１００にはセンターホール１０２が設けられており、たとえば、スピンドルモータのチャッキング部材として、ボス部を有するターンテー部がディスク１００に接近し、ボス部がセンターホール１０２に挿入されるようにターンテーブルに載置される。ボス部にはディスクが容易に脱落しないように爪が設けられている。爪の代わり、クランパがターンテーブルとは反対側からディスク１００にアクセスし、ターンテーブルに載置されたディスクを保持してもよい。また、ディスク装置にディスク１００を装着するための金属等のクランプ（図示せず）がディスク１００に設けられていてもよい。
【００３２】
図６は、ディスクカートリッジ１１の構造を示す分解斜視図である。上述したようにディスクカートリッジ１１は、第１のディスク収納部２０１および第２のディスク収納部３０１を備えている。支持ベース部材４００は、支持ベース部材上体４０１および支持ベース部材下体４０２によって構成されている。また、ディスクカートリッジ１１は、第１のロック部材５０１および第２のロック部材６０１をさらに備える。
【００３３】
図７（ａ）および図７（ｂ）は、支持ベース部材上体４０１を取り除いた残りの部分の構造を示す平面図であって、図７（ａ）はディスク１００を収納し、第１のディスク収納部２０１および第２のディスク収納部３０１を開放した状態のディスクカートリッジ１１を上方から見た平面図であり、図７（ｂ）は第１のディスク収納部２０１および第２のディスク収納部３０１を閉塞した状態のディスクカートリッジ１１を上方から見た平面図である。
【００３４】
図６に示すように、第１のディスク収納部２０１および第２のディスク収納部３０１は、互いに接合することによりディスク１００を収納する。より具体的には、第１および第２のディスク収納部２０１、３０１のそれぞれは、ディスク１００の一部を収納する扁平な袋状の空間を有し、それぞれの空間の開口の縁部分を合わせるように第１および第２のディスク収納部２０１、３０１が閉塞することによって、ディスク１００全体を収納する空間が形成される。
【００３５】
なお、ディスク１００を外部に対して開放もしくは閉塞する機能は、例えば第１および第２のディスク収納部２０１、３０１のみでも原理的には実現する。しかしながら、第１および第２のディスク収納部２０１、３０１のみを備える構造では、閉塞している状態でディスク１００と垂直な方向、つまり回転軸１０３方向に働く外乱の力が第１のディスク収納部２０１および第２のディスク収納部３０１に互いに逆向き作用した場合、ねじれの力が発生し、大きな変形や破壊が生じる可能性がある。
【００３６】
この問題を解決するため、ディスクカートリッジ１１は、支持ベース部材４００を備え、支持ベース部材４００の少なくとも一部は、第１のディスク収納部２０１および第２のディスク収納部３０１がディスク１００と垂直な方向へ移動するのを抑制するように第１のディスク収納部２０１および第２のディスク収納部３０１と重なっている。具体的には、支持ベース部材４００を構成する支持ベース部材上体４０１および支持ベース部材下体４０２の一部は、第１および第２のディスク収納部２０１、３０１の一部を、ディスク１００の回転軸１０３方向において挟むように支持する。これにより、第１および第２のディスク収納部２０１、３０１にねじれの力が加わっても、少なくとも支持ベース部材４００に挟持された部分において、第１および第２のディスク収納部２０１、３０１の変形を防止することができる。これにより、ディスクカートリッジ１１全体の堅牢性を向上させることができる。また、以下において詳細に説明するように、第１および第２のディスク収納部２０１、３０１が閉塞した状態でこれらの回転を防止するロック構造を設けることができる。
【００３７】
また、開放および閉塞するに対して支持ベース部材４００は静止している構成要素であるため、カートリッジ１１をディスクドライブ装置へ挿入する場合において、操作者が手で持つホルダ部分として重要や役割を果たす。支持ベース部材上体４０１には、ディスク１００に記録されている情報の内容表示ラベル紙を貼付できるラベル凹部４０７を設けることが可能であり、これにより、カートリッジ１１に収納されたディスク１００の情報の内容を表示することができる。
【００３８】
支持ベース部材４００と第１および第２のディスク収納部２０１、３０１とが重なる領域が大きいほど、ディスクカートリッジ１１の堅牢性は高まる。しかし、閉塞した状態の第１および第２のディスク収納部２０１、３０１に収納されるディスク１００の中心を超えてヘッド開口部側にまで支持ベース部材４００が伸びると、第１および第２のディスク収納部２０１、３０１が開放した時に形成する開口を覆ってしまうことになる。このため、支持ベース部材４００は、閉塞した状態の第１および第２のディスク収納部２０１、３０１に収納されるディスク１００の中心よりも第１および第２のディスク収納部２０１、３０１の回転軸４０３、４０４側のみを覆っていることが好ましい。
【００３９】
図１（ｂ）および図２（ｂ）に示すように、第１および第２のディスク収納部２０１、３０１の支持ベース部材４００と重なっていない部分では、ディスク１００が露出しないように、第１および第２のディスク収納部２０１、３０１がディスク１００を覆っている。
【００４０】
図２（ａ）および図６に示すように、支持ベース部材下体４０２は、ディスクドライブ装置の一対のカートリッジ位置決めピン１７と嵌合してディスクドライブ装置に対するディスクカートリッジ１１の位置決めを行う一対の位置決め孔４１０および４１１を有する。支持ベース部材下体４０２は、ディスク１００の情報記録面１００Ａ側に設けられている。
【００４１】
支持ベース部材上体４０１および支持ベース部材下体４０２は、それぞれの外縁部もしくは一対の位置決め孔４１２１１の外縁上端部４１０ａ、４１１ａ、第１のディスク収納部２０１と第２のディスク収納部３０１の回転軸４０３、４０４の上端部、第１のロック部材５０１と第２のロック部材６０１の回転軸４１２、４１３の上端部ならびにディスク１００の位置決め部４０８、４０９の外縁上端部で互いに接着もしくは溶着されて支持ベース部材４００を構成している。
【００４２】
第１のディスク収納部２０１および第２のディスク収納部３０１の内壁面には、閉塞している状態でディスク１００の情報記録領域より内周側および外周側に位置している領域と当接する突起部を有し、情報記録領域が内壁面と接触しないようにディスク１００を保持してもよい。あるいは第１のディスク収納部２０１および第２のディスク収納部３０１の内壁をディスク１００の外側面か外側面端部のエッジ部分に当接させ、閉塞時に情報記録領域が内壁面と接触しないようにディスク１００を保持してもよい。
【００４３】
図１（ｂ）に示すように、ディスクカートリッジ１１は、以下において詳述するように、外部から第１のディスク収納部２０１と第２のディスク収納部３０１を開放した場合に、ヘッド開口部７０２（図５）が設けられる方向である側面１０ｅがディスクドライブ装置の挿入口に対向するよう、矢印１Ａで示す方向でディスクドライブ装置に装填される。本実施形態では、側面１０ｅを凸状の曲面によって構成している。これにより、ディスク１００の回転軸１０３に垂直な方向から見たディスクカートリッジの外形を小さくし、ディスクカートリッジ１１が装填されるディスクドライブ装置自体も小型化することができる。また、側面１０ｆおよび他の対向する側面１０ｇおよび１０ｈを平面によって構成することによって、ディスクカートリッジ１１の挿入方向１Ａをディスクカートリッジ１１の外形から容易に判断することが可能となる。このため、操作者がディスクカートリッジ１１に記された挿入方向を確認しなくても、誤りなくディスクドライブ装置へ挿入することができる。
【００４４】
図８は、ディスク１００を収納したディスクカートリッジ１１がディスク装置に装填された状態を示す断面図であり、第１のディスク収納部２０１および第２のディスク収納部３０１を開放した状態で外側面１０ｈ側からディスクカートリッジ１１を見た断面図である。
【００４５】
図８および図１（ａ）、図１（ｂ）、図２（ａ）、図２（ｂ）、図６に示すように、第１および第２のディスク収納部２０１、３０１は、それぞれ、ディスク１００の第１の面側に外形面２０１ｆ、３０１ｆを有し、情報記録面１００Ａ側に外形面２０１ｇ、３０１ｇを有している。第１および第２のディスク収納部２０１、３０１の回転軌道である曲面２０１ｗ、３０１（図６）とそれに沿うように設けられた支持ベース部材上体４０１の曲面４０１ｗを境界面にして、外形面２０１ｆ、３０１ｆと支持ベース部材上体４０１の外形面４０１ｆとは同じ高さに位置している。
【００４６】
これにより、第１および第２のディスク収納部２０１、３０１が閉塞している状態において、ディスクカートリッジ１１の上面に段差が生じず、全体としてデザイン的に優れた均一な上面にすることができる。さらに、第１および第２のディスク収納部２０１、３０１の外形面２０１ｆ、３０１ｆを構成している部分の厚さを、支持ベース部材上体４０１の厚さに相当分だけ増大させることが可能となり、ディスク装置の高さに影響することなく、第１および第２のディスク収納部２０１、３０１の強度を向上させ、堅牢なディスクカートリッジを構成できる。
【００４７】
一方、情報記録面１００Ａ側の外形面２０１ｇ、３０１ｇと支持ベース部材下体の外形面４０２ｇは同一の高さには位置しておらず、曲面４０２ｗを境界面にして段差を設けている。これにより、ディスク収納部２０１、３０１の外形面２０１ｇ、３０１ｇを構成している部分の厚さを、支持ベース部材下体４０２の厚さに相当する分だけ薄くすることが可能となる。これにより、図８に示すように、第１および第２のディスク収納部２０１、３０１の外形面２０１ｇ、３０１ｇの下方の空間を支持ベース部材下体４０２の厚さに相当する分だけ高くすることができ、ディスク１００にアクセスするヘッド７０の高さ方向の設計領域を大きく確保することができる。その結果、ヘッド７０の設計自由度が拡大するとともに、ドライブ装置全体の厚さを支持ベース部材下体４０２の厚さに相当する分だけ薄くすることができる。
【００４８】
以下において詳述するように、支持ベース部材上体４０１および支持ベース部材下体４０２は、外部から第１のディスク収納部２０１と第２のディスク収納部３０１を開放した場合に設けられるチャッキング開口部７０１を内径とするリングの一部を切り取ったような形状の外縁部４０５、４０６を備えている。
【００４９】
図６に最もよく示すように、第１および第２のディスク収納部２０１、３０１は回転孔２０２、３０２を有し、支持ベース部材下体４０２においてディスク１００の回転軸１０３と平行に設けられた回転支持部である回転軸４０３、４０４にそれぞれ挿入されている。また、第１および第２のディスク収納部２０１、３０１は互いに噛み合う連動部２０３、３０３をそれぞれ有する。図７（ａ）および図７（ｂ）に示すように、第１および第２のディスク収納部２０１、３０１は、連動部２０３、３０３が互いに噛み合うことによって、回転軸４０３、４０４に対して互いに逆方向に同期して回転する。
【００５０】
図７（ａ）に示すように、回転軸４０３、４０４を、ディスク１００の回転軸１０３方向に投影されるディスク１００の投影領域以外の支持ベース部材下体４０２に設けことにより、ディスク１００と回転軸４０３、４０４とがディスクカートリッジ１１の厚さ方向に重なるのを避けることができ、ディスクカートリッジ１１を薄くすることができる。
【００５１】
また、第１および第２のディスク収納部２０１、３０１の回転軸４０３、４０４を異ならせ、連動部２０３、３０３をギアによって構成することによって、簡単な構造で第１および第２のディスク収納部２０１、３０１を同期して逆回転させることができる。第１および第２のディスク収納部２０１、３０１を連動させる目的は、後述するように、閉塞状態をロックする機能を高め、ディスクカートリッジ１１の堅牢性を向上させることにある。
【００５２】
さらに、第１および第２のディスク収納部２０１、３０１が重なる部分が生じるのを回避できるため、ディスクカートリッジ１１を薄くできる。ただし、第１および第２の収納部２０１、３０１を共有した１つの回転軸で回転支持することも可能である。この場合、回転軸を一致させることより生じる空間をロック機構などの構造に利用することができる。
【００５３】
図６、図７（ａ）および図７（ｂ）に示すように、第１のロック部材５０１と第２のロック部材６０１はそれぞれ回転孔５０５、６０５を有し、支持ベース部材下体４０２に設けられた回転支持部である回転軸４１２、４１３に回転孔５０５、６０５が挿入されることにより、回転軸４１２、４１３に回転支持される。
【００５４】
第１のロック部材５０１と第２のロック部材６０１は、係止レバー部５０２、６０２、付勢部である弾性部５０３、６０３とロック解除レバー部５０４、６０４、規制面５０６、６０６とを含んでいる。図８（ａ）および（ｂ）に示すように、外部から第１および第２のディスク収納部２０１、３０１が閉塞した状態では、係止レバー部５０２、６０２は第１および第２のディスク収納部２０１、３０１に設けられた係止部２０５、３０５と当接し、かつ規制面５０６、６０６は支持ベース部材下体４０２の一部と当接している。
【００５５】
回転軸４１２、４１３と回転軸４０３、４０４との距離は、係止部２０５、３０５と回転軸４０３、４０４との距離と等しいかまたは短くなっている。このため、第１および第２のディスク収納部２０１、３０１が開く際に回転する方向と同じ方向５０１ｐ、６０１ｐに第１および第２のロック部材５０１、６０１が回転するのが制限される。これにより第１および第２のディスク収納部２０１、３０１を閉塞した状態において、それぞれの回転を独立してロックすることができる。
【００５６】
またロック解除レバー部５０４、６０４を押し下げることによって、第１のロック部材５０１および第２のロック部材６０１をロックする場合とは逆の方向に回転させ、第１および第２のディスク収納部２０１、３０１の係止部２０５、３０５と係止レバー部５０２、６０２との当接を解除する。これにより、第１および第２のディスク収納部２０１、３０１のロックが解除され、回転可能になる。
【００５７】
図６、図７（ａ）および図７（ｂ）に示すように、支持ベース部材下体４０２には、位置決め部４０８、４０９が設けられている。位置決め部４０８、４０９は、以下において詳述するように、外部から第１および第２のディスク収納部２０１、３０１を開放した状態では、ヘッド開口部７０２の領域に存在するディスク装置の規制部材１８と位置決め部４０８、４０９によりディスク１００の外側面の位置を規制してディスク１００の中心位置の位置決めを精度良く行い、センターホール１０２に対してスピンドルモータを確実にチャッキングさせることが可能となる。このように、ディスク装置に対するディスクカートリッジ１１の位置決めを位置決め孔４１２１１によって行い、さらに位置決め部４０８、４０９によってディスク１００の位置決めを行うため、ディスク１００の位置決め精度を高めることができる。
【００５８】
ディスクカートリッジ１１は位置決め部４０８、４０９の代わりに他の位置決め部を備えていてもよい。図９は、支持ベース部材上体４０１を取り除いた残りの部分の構造を示す平面図であって、ディスクカートリッジ１１に位置決め部２１２、３１２が設けられている。
【００５９】
図９に示すように、第１および第２のディスク収納部２０１、３０１に設けられた位置決め部２１２、３１２は、外部によって第１および第２のディスク収納部２０１、３０１を開放させる動作に伴い、ディスク１００の回転軸１０３の方向においてお互いにねじれの関係で交錯しながらディスク１００の外側面に当接してディスク１００を矢印１Ａ方向に移動させ、ディスク装置の規制部材１８とディスク１００の外側面とを当接させることによって、ディスク１００の位置決めを行う。これによりディスク１００は、ディスク装置側に設けられた規制部材１８を基準としたディスク１００の中心位置の位置決めが可能となり、位置決め精度をドライブ装置側に完全に依存させることができる。
【００６０】
なお、第１および第２のディスク収納部２０１、３０１が閉塞した状態では、第１および第２のディスク収納部２０１、３０１の内面にディスク１００の外側面に軽く当接させてディスクの位置を規制し、保持するか、もしくは、内面とディスク１００との距離を短くし、ディスク１００の動きを規制させることが好ましい。
【００６１】
第１および第２のディスク収納部２０１、３０１に設けられた突起部２０６、３０６は、開放または閉塞する場合に支持ベース部材上体４０１と当接しながら摺動し、回転摩擦による負荷抵抗を低減することができる。同様の突起部は情報記録面１００Ａ側の支持ベース部材下体４０２に当接する第１および第２のディスク収納部２０１、３０１にも設けられている（図示せず）。これら突起部は、支持ベース部材上体４０１および支持ベース部材下体４０２の第１および第２のディスク収納部２０１、３０１に当接しながら摺動する面に設けても同様な効果を得られる。
【００６２】
図７（ｂ）に示すように、第１および第２のディスク収納部２０１、３０１を閉じ、チャッキング開口部７０１とヘッド開口部７０２を外部に対して閉塞する状態では、ディスク１００は、位置決め部４０８、４０９と第１および第２のディスク収納部２０１、３０１の収納内壁（図示せず）により、ディスク１００の回転軸１０３に垂直な方向への動きが規制された状態で保持される。
【００６３】
また、第１および第２のディスク収納部２０１、３０１の係止部２０５、３０５が、矢印５０１ｐ方向および矢印６０１ｐ方向への回転を制限された第１および第２のロック部材５０１、６０１の係止レバー部５０２、６０２とそれぞれ係止されロックされている。これにより、第１および第２のディスク収納部２０１、３０１は、第１および第２のロック部材５０１、６０１を介して支持ベース部材４００にそれぞれ回転をロックされることになり、ディスク１００の回転軸１０３に対して垂直な方向の剛性が向上している。
【００６４】
図６、図７（ａ）および図７（ｂ）に示すように、第１および第２のディスク収納部２０１、３０１のディスク１００を収納する空間の開口を規定している縁部に、端部に互いに重なり合う凸形状の重畳部２０４および凹形状の重畳部３０４がそれぞれ設けられている。なお、これらの図ではディスク１００の第１の面側に設けられた重畳部２０４および重畳部３０４が示されているが、第１および第２のディスク収納部２０１、３０１のディスク１００の情報記録面１００Ａ側にも同様の重畳部が形成されている。
【００６５】
重畳部２０４および重畳部３０４を第１および第２のディスク収納部２０１、３０１に設けることによって、第１および第２のディスク収納部２０１、３０１が閉塞した状態において、密着している部分から埃などがディスク１００の情報記録面１００Ａ側へ侵入することを防止し、防塵性を向上させている。また、第１および第２のディスク収納部２０１、３０１の密着する部分を重畳させることにより、ディスク１００の回転軸１０３方向の剛性を大幅に向上させることができ、耐衝撃性に優れた堅牢なディスクカートリッジ１１を実現できる。
【００６６】
また、第１および第２のディスク収納部２０１、３０１の一部が支持ベース部材上体４０１および支持ベース部材下体４０２の一部と重なり、挟みこむ構造を採用しているため、ディスクカートリッジ１１の厚さ方向の強度が高められ、ディスクカートリッジ１１が変形して情報記録面１００Ａに傷などが付くのを防止することができる。また、支持ベース部材４００は第１および第２のディスク収納部２０１、３０１が閉塞した状態にあるとき、これらの接合部分の一部を覆っているため、防塵性も高められる。
【００６７】
ディスクカートリッジ１１を組み立てる場合、まずディスク１００を収納した状態で、連動部２０３、３０３を噛み合わせ、第１および第２のディスク収納部２０１、３０１を閉塞した状態に配置する。次に、第１および第２のディスク収納部２０１、３０１を支持ベース部材下体４０２に取り付け、続いて第１および第２のロック部材５０１、６０１を支持ベース部材下体４０２に装着する。最後に支持ベース部材上体４０１を支持ベース部材下体４０２と接着もしくは溶着する。これにより組み立ては、すべて一方向から部品を配置することが可能となり、組み立てが簡単になる。
【００６８】
次にカートリッジ１１をディスクドライブ装置に挿入した場合における第１および第２のディスク収納部２０１、３０１の開放・閉塞動作を説明する。
【００６９】
図１（ｂ）に示すように、矢印１Ａで示す方向でカートリッジ１１をディスクドライブ装置内に挿入した場合、図７（ｂ）に示すように、ディスクドライブ装置に設けられた一対のロック解除用突起部（図示せず）が、ロック解除レバー部５０４、６０４に同時に当接して押下することによって、第１および第２のロック部材５０１、６０１が矢印５０１ｐ、矢印６０１ｐと逆方向へ弾性部５０３、６０３を変形させながら回転する。この動作により、第１および第２のディスク収納部２０１、３０１の係止部２０５、３０５と当接していた第１および第２のロック部材５０１、６０１の係止レバー部５０２、６０２は係止を同時に解除され、第１および第２のディスク収納部２０１、３０１は回転可能となる。
【００７０】
さらにカートリッジ１１を矢印１Ａ方向へ挿入すると、図４（ｂ）に示すようにディスクドライブ装置内に設けられた一対の開閉レバー１９が、第１および第２のディスク収納部２０１、３０１に設けられた駆動用係合部２０８、３０８に係合する。図４（ｂ）に示すように、駆動係合部２０８、３０８は、それぞれ、ディスクドライブ装置に対向する側面１０ｅ側に開口を有し、開口から矢印１Ａ方向に平行に伸び、その後カートリッジ１１の中心から外側へ向かうように伸びた溝である。溝が外側に向かうことによって第１および第２のディスク収納部２０１、３０１の回転を開始する際、一対の開閉レバー１９から受ける力が第１および第２のディスク収納部２０１、３０１の回転の接線方向に働き易くなる。また、溝の終端部の側面を円弧状にすることによって、第１および第２のディスク収納部２０１、３０１の回転状態によらず、開閉レバー１９から受ける力の第１および第２のディスク収納部２０１、３０１の回転の接線方向成分を第１および第２のディスク収納部２０１、３０１が受け取りやすくなる。これにより、開閉レバー１９による第１および第２のディスク収納部２０１、３０１の開放がスムーズになる。
【００７１】
開閉レバー１９が駆動用係合部２０８、３０８の溝と係合すると、開閉レバー１９が固定されているため、溝に沿って開閉レバー１９が相対的に移動するため、開閉レバー１９が第１および第２のディスク収納部２０１、３０１を開放させる方向、つまり、図７（ａ）の矢印２０１ｐおよび矢印３０１ｐ方向に回転移動させる。
【００７２】
第１および第２のディスク収納部２０１、３０１は、互いに噛み合う連動部２０３、３０３によって連動し、同期しながら逆方向に回転するため、開閉レバーは一対である必要はなく、駆動用係合部２０８、３０８の一つだけでも同様の開閉動作を実現できる。しかし、一対の駆動用係合部２０８、３０８を設けることにより、ディスクドライブ装置に挿入する場合の矢印１Ａに対するカートリッジ１１の挿入直進性が確保でき、安定した挿入・排出動作を実現できる。
【００７３】
次に、第１および第２のディスク収納部２０１、３０１は、図５で示したチャッキング開口部７０１およびヘッド開口部７０２が外部に対して完全に開放されるまで回転する。この状態でディスクドライブ装置内に設けられた一対のカートリッジ挿入位置検知レバー（図示せず）が支持ベース部材下体４０２に設けられた切り欠き部４１４、４１５に係合することにより、カートリッジ１１の挿入位置を固定する。この状態において、前述したようにヘッド開口部７０２の領域に存在するディスクドライブ装置の規制部材１８と位置決め部４０８、４０９とはディスク１００の外側面を規制し、ディスク１００の中心位置の位置決めを精度良くおこなう。
【００７４】
最後にディスクドライブ装置に設けられた一対のカートリッジ位置決めピン１７とスピンドルモータ（図示せず）およびヘッド（図示せず）がディスク１００の情報記録面１００Ａに近接するよう上方へ移動し、ディスクカートリッジ１１の位置決めをおこなうとともにディスク１００のセンターホール１０２に対してスピンドルモータを確実にチャッキングさせ、ヘッドを情報記録面１００Ａに対して所望の高さ位置と平面位置に固定する。
【００７５】
また、第１および第２のディスク収納部２０１、３０１が、それぞれ矢印２０１ｐ方向と矢印３０１ｐ方向に回転移動する場合に、位置決め部４０８、４０９との干渉を避けるため、第１および第２のディスク収納部２０１、３０１には切れ込み部２０７、３０７が設けられている。また、第１および第２のディスク収納部２０１、３０１に設けられた回転規制部２０９、３０９を支持ベース部材下体に当接させることで、開放している状態において、ディスク１００がカートリッジ１１から脱落しないように矢印２０１ｐ、３０１ｐ方向の第１および第２のディスク収納部２０１、３０１の回転制限を与えている。
【００７６】
なお、駆動用係合部２０８、３０８は、情報記録面１００Ａが片面にあるディスク１００の場合において第１および第２のディスク収納部２０１、３０１の外形面２０１ｇ、３０１ｇに形成され、ディスクカートリッジ１１の上下面を逆にしてディスク装置へ挿入した場合に、装置内に設けられた開閉レバーが第１および第２のディスク収納部２０１、３０１の側面１０ｅに干渉して誤挿入を防止している。
【００７７】
第１および第２の面の両面に情報記録面があるディスクにおいては、表裏の区別はないため、この駆動用係合部を外形面２０１ｆ、３０１ｆまで貫通させることによって、開閉レバーと側面１０ｅの干渉をなくし、かつ切欠き部４１４、４１５を４０１ｆまで貫通させることにより、第１および第２の面の両面での開閉動作を実現できる。
【００７８】
ロック解除の動作についてさらに説明する。図１０（ａ）および図１０（ｂ）は、支持ベース部材上体４０１を取り除いた残りの部分の構造を示す平面図であって、図１０（ａ）は２つのロック部材のうち一方のロックを解除した状態を示しており、図１０（ｂ）は、両方のロック部材のロックを解除した状態を示している。
【００７９】
図１０（ａ）に示すように、第１および第２のディスク収納部２０１、３０１が閉塞した状態で、第１のロック部材５０１および第２のロック部材６０１のうち第２のロック部材６０１のみを解除する。具体的には、第２のロック部材６０１のロック解除レバー部６０４を押圧し、弾性部６０３を変形させながら、第２のロック部材６０１を回転方向６０１ｓに回転させる。これにより、第２のロック部材６０１の係止レバー部６０２は、第２のディスク収納部３０１に設けられた係止部３０５と離間して係止状態は解除される。しかし、第１のディスク収納部２０１は第１のロック部材５０１でロックされており、第１および第２のディスク収納部２０１、３０１は連動部２０３、３０３で連動している。その結果、第１および第２のディスク収納部２０１、３０１を開放させることはできない。つまり、第１および第２のロック部材５０１、６０１のいずれか一つが外部よりロック解除される場合では、第１および第２のディスク収納部２０１、３０１を開放することはできない。
【００８０】
一方、図１０（ｂ）に示すように、第１および第２のディスク収納部２０１、３０１を閉塞した状態で、第１のロック部材５０１および第２のロック部材６０１の両方を解除する。具体的には、外部によりロック解除レバー部５０４、６０４を同時に押圧し、弾性部５０３、６０３を同時に変形させながら、第１および第２のロック部材５０１、６０１をそれぞれ回転方向５０１ｓ、６０１ｓに回転させる。この場合、第１および第２のロック部材５０１、６０１の係止レバー部５０２、６０２は第１および第２のディスク収納部２０１、３０１に設けられた係止部２０５、３０５とそれぞれが離間して係止状態は解除される。したがって、第１および第２のロック部材５０１、６０１を同時に解除する場合にのみ第１および第２のディスク収納部２０１、３０１を開放させることができる。これにより、操作者が不注意に、あるいは意図的に、ディスクカートリッジ１１の第１および第２のディスク収納部２０１、３０１を開放させることが困難となり、操作者による不注意のあるいは意図的なディスク１００の損傷を防止することができる。ただし、上述したように、第１および第２のロック部材５０１、６０１のいずれかの１つのロック部材を備えていれば、収納部をロックすることが可能である。したがって、ディスクカートリッジ１１は１つのロック部材のみを備えていてもよく、この場合には、構成部品の数を低減することができるというメリットがある。
【００８１】
図１（ａ）、図１（ｂ）、図２（ａ）および図２（ｂ）に示すように、支持ベース部材４００の側面１０ｇおよび１０ｈには、それぞれディスクカートリッジ１１の挿入方向１Ａと平行に伸びるスリット４００ｃおよび４００ｄが設けられている。
【００８２】
図１１（ａ）、図１１（ｂ）は支持ベース部材上体４０１と支持ベース部材下体４０２からなる支持ベース部材４００を側面１０ｆの方向から見た側面図である。図１１（ａ）、図１１（ｂ）に示すようにスリット４００ｃ、４００ｄ内にロック解除レバー部５０４、６０４が突出している。スリット４００ｃ、４００ｄは、図１１（ａ）に示すように、支持ベース部材４００の厚さ方向の中央の高さに位置していてもよいし、図１１（ｂ）に示すように、スリット４００ｃ、４００ｄは中央から高い側あるいは低い側にオフセットした位置に設けられていてもよい。
【００８３】
ディスクカートリッジ１１がディスクドライブ装置内に挿入される際、ディスクドライブ装置に設けられた一対のロック解除用突起部（図示せず）はスリット４００ｄ、４００ｃに干渉することなく挿入される。ディスクカートリッジ１１の挿入にともなって、このロック解除用突起部は、相対的にスリット４００ｄ、４００ｃを移動し、ロック解除レバー部５０４、６０４を同時に当接して押下することにより、ロックを解除する。
【００８４】
図１１（ａ）に示したように、支持ベース部材４００の厚み方向の中心位置にスリット４００ｄ、４００ｃがそれぞれ設けられている場合は、第１および第２の面の両方に情報記録面１００Ａが設けられているディスク１００を収納したカートリッジ１１に適用する。カートリッジ１１を上下逆さまにしてディスクドライブ装置内に挿入した場合でも、ロック解除用突起部が正しくスリット４００ｄ、４００ｃに挿入され、ロックを解除することができる。
【００８５】
一方、図１１（ｂ）に示したように、支持ベース部材４００の厚さ方向の中心位置から片側オフセットした位置にスリット４００ｄ、４００ｃがそれぞれ設けられている場合は、第２の面のみに情報記録面１００Ａが設けられているディスク１００を収納したカートリッジ１１にのみ適合する。
【００８６】
カートリッジ１１を上下逆さまにしてディスクドライブ装置内に挿入した場合、ロック解除用突起部はスリット４００ｄ、４００ｃに挿入されず、ロック解除用突起部が支持ベース部材４００が干渉する。その結果、ディスクカートリッジ１１をディスクドライブ装置に挿入することができず、カートリッジ１１の誤挿入を防止する。なお、駆動用係合部２０８、３０８を用いて、誤挿入を防止する場合には、スリット４００ｄ、４００ｃは、支持ベース部材４００の厚さ方向の中心位置に対してオフセットさせて設ける必要はない。
【００８７】
以上、説明したように、本実施形態によれば、２つのディスク収納部は互いに連動して逆方向に回転する。このため、開放している状態で大きな開口を生じさせることができる。このような構造により、大径ディスクカートリッジと同等以上のヘッド開口部を形成することができる。したがって、大径ディスクカートリッジで使用されるヘッドを用いても、本実施形態のディスクカートリッジに収納されたディスクにアクセスすることが可能となる。
【００８８】
また、本実施形態によれば、第１および第２のディスク収納部２０１、３０１が開放された場合、ディスク１００と第１および第２のディスク収納部２０１、３０１と支持ベース部材４００とによるディスク１００の回転軸１０３方向の投影領域は、第１および第２のディスク収納部２０１、３０１が閉塞している状態に比べて大きくなる。このため、ディスクドライブ装置へ装着した場合にディスクカートリッジ１１の占有する面積は増大する。しかし直径の小さいディスクを収納するディスクカートリッジであればその増大量は小さい。一方、本実施形態によればヘッド開口部７０２を大きくでき、かつヘッド開口部７０２には、ディスクカートリッジの開閉操作部等がまったく存在しない。このため、ディスクドライブ装置のヘッドがアクセスしても干渉せず、ヘッドの設計自由度が大幅に向上するという利点が大きく勝っている。
【００８９】
また、本実施形態によれば、第１および第２のロック部材５０１、６０１を同時に解除させることによってのみ、第１および第２のディスク収納部２０１、３０１を開放させることができる。このような解除動作は、特殊であり、操作者が容易に実行できるものではないため、本実施形態のディスクカートリッジに対応したディスクドライブ装置の外部において情報記録面を露出させるのが困難となる。したがって、ディスクに傷や埃、指紋などがつき難く、高い信頼性と安全性を備えたディスクカートリッジが実現する。
【００９０】
また、本実施形態によれば、第１および第２のディスク収納部２０１、３０１を開放した状態で、ディスク装置側の規制部材と支持ベース部材４００の位置決め部によりディスクの中心位置の位置決め精度を向上することが可能となる。また、第１および第２のディスク収納部２０１、３０１を閉塞した状態では、ディスクを保持させるか、もしくは微小な距離を隔ててディスクの動きを規制させることができ、カートリッジを持ち運び等した場合においてもディスクのガタツキによる損傷を防止することができる。
【００９１】
また、本実施形態によれば、シャッタ機能を兼ねた剛性の高い２つのディスク収納部でディスクを収納するため、部品点数を削減でき、かつ堅牢で防塵性の高いディスクカートリッジを実現できる。
【００９２】
また、従来の小さな直径のディスクを収納するディスクカートリッジにおいて広く用いられていた薄い板金製シャッタが不用になるため大幅にコストを低減することが可能となる。このため、特に、大型のディスクカートリッジにも対応するようなヘッドでもアクセスが可能であり、防塵性・堅牢性に優れ、安価で製造できる小径用のディスクカートリッジに好適に用いられる。
【００９３】
（第２の実施形態）
以下、本発明によるディスクカートリッジの第２の実施形態を説明する。
【００９４】
図１２（ａ）は、ディスク１００を収納し、第１のディスク収納部２０１および第２のディスク収納部３０１を開放した状態のディスクカートリッジ１２を上方から見た斜視図であり、図１２（ｂ）は、第１のディスク収納部２０１および第２のディスク収納部３０１を閉塞した状態のディスクカートリッジ１２を上方から見た斜視図である。
【００９５】
図１３（ａ）は、ディスク１００を収納し、第１のディスク収納部２０１および第２のディスク収納部３０１を開放した状態のディスクカートリッジ１２を情報記録面１００Ａ側から見た斜視図であり、図１３（ｂ）は第１のディスク収納部２０１および第２のディスク収納部３０１を閉塞した状態のディスクカートリッジ１２を情報記録面１００Ａ側から見た斜視図である。
【００９６】
図１４（ａ）はディスク１００を収納し、第１のディスク収納部２０１および第２のディスク収納部３０１を開放した状態のディスクカートリッジ１２の上平面図であり、図１４（ｂ）は第１のディスク収納部２０１と第２のディスク収納部３０１を閉塞した状態のディスクカートリッジ１２の上平面図である。
【００９７】
図１５（ａ）はディスク１００を収納し、第１のディスク収納部２０１と第２のディスク収納部３０１を開放した状態のディスクカートリッジ１２の底面図であり、図１５（ｂ）は第１のディスク収納部２０１と第２のディスク収納部３０１を閉塞した状態のディスクカートリッジ１２の底面図である。
【００９８】
これらの図に示すようにディスクカートリッジ１２は、第１のディスク収納部２０１、第２のディスク収納部３０１および支持ベース部材４００を備え、ディスク１００を収納する。
【００９９】
図１６は、第１のディスク収納部２０１と第２のディスク収納部３０１を開放した状態のディスクカートリッジ１２の底面図である。第１の実施形態と同様、外部からディスク１００を回転させるためのスピンドルモータのチャッキング部材が侵入できるよう開口したチャッキング開口部７０１と、ディスク１００の情報記録面１００Ａに対して情報の再生および記録の少なくとも一方を行うヘッドが侵入し、アクセスできるよう開口したヘッド開口部７０２とが第１のディスク収納部２０１と第２のディスク収納部３０１との間に形成される。これらの開口部は、第１のディスク収納部２０１および第２のディスク収納部３０１が開放した状態において、第１のディスク収納部２０１および第２のディスク収納部３０１の間に形成される略扇型の開口領域内に位置する。
【０１００】
本実施形態ではディスク１００にセンターホール１０２が開いており、支持ベース部材上体８０１に、ディスク装置でディスク１００をクランプするためのクランプ孔８１０が設けられている。しかし、ディスク１００を装着するための金属等のクランプ（図示せず）がディスク１００もしくはカートリッジ１２に設けられていてもよい。この場合、支持ベース部材上体８０１にクランプ孔８１０を設ける必要はない。
【０１０１】
図１７は、ディスクカートリッジ１２の構造を示す分解斜視図である。図１７に示すように、ディスクカートリッジ１２において、支持ベース部材４００は支持ベース部材下体８０２および支持ベース部材上体８０１によって構成される。また、ディスクカートリッジ１２は、第１のディスク収納部２０１および第２のディスク収納部３０１に加えて、第１のロック部材５０１および第２のロック部材６０１を備えている。
【０１０２】
図１８は、ディスク１００を収納し、第１のディスク収納部２０１と第２のディスク収納部３０１を開放した状態のディスクカートリッジ１２を外側面１０ｈ側から見た断面図である。
【０１０３】
これらの図において第１の実施形態と同じ構成要素には同じ参照符号を付している。本実施形態のディスクカートリッジ１２が第１の実施形態のディスクカートリッジ１１と大きく異なっている点は、支持ベース部材上体８０１と支持ベース部材下体８０２の形状、これらの接合方法およびヘッド開口部９０２の形状である。
【０１０４】
図１２（ａ）および図１２（ｂ）に示すように、支持ベース部材上体８０１は、ディスク１００と平行な面内において、クランプ孔８１０によって露出する部分を除く、閉塞時の第１および第２のディスク収納部２０１、３０１のすべて覆う。クランプ孔８１０は、図示しないクランパがディスク１００にアクセスし、クランプするために設けられている。
【０１０５】
また、開放している状態で第１および第２のディスク収納部２０１、３０１が干渉しないように支持ベース部材上体８０１の両側面には、切り欠き８２０、８２１が設けられている。
【０１０６】
図１３（ａ）および図１３（ｂ）に示すように、支持ベース部材下体８０２は、閉塞状態にある第１および第２のディスク収納部２０１、３０１の一部を覆っている。支持ベース部材８０２には、外部からディスク１００をチャッキングするためのチャッキング開口孔８３１とヘッド開口孔８３０が設けられている。これらの開口孔は第１および第２のディスク収納部２０１、３０１が開放した状態において、第１および第２のディスク収納部２０１、３０１との間に形成される開口に含まれるように位置している。このため、図１６に示すように第１および第２のディスク収納部２０１、３０１が開放している状態において、チャッキング開口部７０１およびヘッド開口部９０２が形成される。第１および第２のディスク収納部２０１、３０１との間に形成される扇型の開口に一致させ、ヘッド開口部７０２を略扇形状にしてもよい。
【０１０７】
また、カートリッジ１２を矢印１Ａの方向へ移動させてディスクドライブ装置内に挿入する際、一対の開閉レバー（図示せず）が、第１および第２のディスク収納部２０１、３０１に設けられた駆動用係合部２０８、３０８に係合することができるように切り欠き８２２、８２３が支持ベース部材下体８０２に設けられている。
【０１０８】
図１７に示すように、支持ベース部材上体８０１と支持ベース部材下体８０２とは、外縁部もしくは一対の位置決め孔４１０、４１１の外縁上端部４１０ａ、４１１ａ、第１のディスク収納部２０１と第２のディスク収納部３０１の回転軸４０３、４０４の上端部、第１のロック部材５０１および第２のロック部材６０１の回転軸４１２、４１３の上端部とディスク１００の位置決め部４０８、４０９の外縁上端部に加えて、支持ベース部材下体８０２に設けられた接合部８４１とで、接着もしくは溶着されて支持ベース部材４００を構成している。第１の実施形態より支持ベース部材上体８０１と支持ベース部材下体８０２との接合面積を増加させることが可能となり、さらに堅牢な支持ベース部材４００を実現している。
【０１０９】
また、図１８に示すように、ディスク１００を覆うように第１および第２のディスク収納部２０１、３０１と支持ベース部材上体および下体８０１、８０２とから構成される完全な２重隔壁構造を実現できる。その結果、第１の実施形態に比べて、極めて堅牢で踏み付け等の外部からの大きな力に対して安全性の高いカートリッジを提供することができる。
【０１１０】
第１および第２のディスク収納部２０１、３０１の開放・閉塞動作および閉塞状態をロックする第１および第２のロック部材５０１、６０１の動作は、第１の実施形態のディスクカートリッジ１１の対応する構成要素と同様である。
【０１１１】
図１９（ａ）および図１９（ｂ）は支持ベース部材４００にロック機能を設けたディスクカートリッジ１２’の斜視図であって、図１９（ａ）は、第１のディスク収納部２０１および第２のディスク収納部３０１を開放した状態を支持ベース部材上体８０１側から見た図であり、図１９（ｂ）は第１のディスク収納部２０１と第２のディスク収納部３０１を閉塞した状態を支持ベース部材下体８０２側から見た図である。
【０１１２】
図１９（ａ）に示すように、支持ベース部材上体８０１は、両側面の切り欠き８２０、８２１近傍部分にＵ字状の切り欠き８０７、８０８を設けることにより支持ベース部材上体８０１の一部が弾性部として機能する弾性ロック部材８０５、８０６を有している。
【０１１３】
図１９（ｂ）に示すように、第１および第２のディスク収納部２０１、３０１が閉塞している状態では、弾性ロック部材８０５、８０６に設けられた突起部８０５ａ、８０６ａが駆動用係合部２０８、３０８と係合し、ディスク収納部２０１、３０１が開放されるのを防止する。
【０１１４】
この状態で、矢印１Ａで示すようにディスクカートリッジ１２’をディスクドライブ装置内に挿入した場合、ディスクドライブ装置に設けられた一対の開閉レバー（図示せず）が、ディスク１００と垂直な方向に突起部８０５ａ、８０６ａを同時に押し上げ、突起部８０５ａ、８０６ａと駆動用係合部２０８、３０８との係合を解除する。続いて、開閉レバーが、駆動用係合部２０８、３０８と係合し、第１および第２のディスク収納部２０１、３０１を開放する。この開放動作中では、弾性ロック部材８０５、８０６の突起部８０５ａ、８０６ａは、弾性変形しながら第１および第２のディスク収納部２０１、３０１の外形面２０１ｆ、３０１ｆに当接しながら摺動する。
【０１１５】
第１および第２のディスク収納部２０１、３０１を閉塞する場合は、開放と逆の動作により開閉レバーと係合した第１および第２のディスク収納部２０１、３０１が閉塞すると、弾性ロック部材８０５、８０６の突起部８０５ａ、８０６ａと駆動用係合部２０８、３０８とが係合してロックを完了する。
【０１１６】
これにより、一対の開閉レバーで第１および第２のディスク収納部２０１、３０１の開放・閉塞とそのロックの解除を行うことができる。その結果、ディスクドライブ装置にロック解除レバーを設ける必要がなく、カートリッジ１２’においてロック部材として別部品を設ける必要がなくなる。したがって、ロック機能による高い安全性を確保しつつ、ドライブ装置ならびにディスクカートリッジ１２を低コストで製造することが可能となる。
【０１１７】
なお、上述した弾性ロック部材を備える場合、第１および第２のディスク収納部２０１、３０１が開放された状態では弾性ロック部材８０５、８０６は変形した状態が維持される。このため、弾性ロック部材８０５、８０６がクリープによる変形を引き起こすのを防止するため、突起部８０５ａ、８０６ａに当接する位置の外形面２０１ｆ、３０１ｆに弾性変形を解除する凹部（図示せず）をそれぞれ設けてもよい。
【０１１８】
（第３の実施形態）
以下、本発明によるディスクカートリッジの第３の実施形態を説明する。図２０（ａ）および図２１（ａ）は、ディスクカートリッジ１３から支持ベース部材上体４０１と第１および第２のロック部材５０１、６０１を取り除き、第１および第２の収納部２１０、３０１を開放させた状態の構造を示す斜視図および平面図である。図２０（ｂ）および図２１（ｂ）は、ディスクカートリッジ１３から支持ベース部材上体４０１取り除き、第１および第２の収納部２１０、３０１を開放させた状態の構造を示す斜視図および平面図である。
【０１１９】
これらの図において、第１の実施形態と同じ構成要素には同じ参照符号を付している。
【０１２０】
ディスクカートリッジ１３は、ディスク１００を収納した状態で第１および第２のディスク収納部２０１、３０１を開放し、チャッキング開口部およびヘッド開口部を形成する第１の開放状態に加え、支持ベース部材上体４０１と第１および第２のロック部材５０１、６０１を取り除くことによってディスク１００を挿入可能なように第１および第２のディスク収納部２０１、３０１をより大きく開放させる第２の開放状態をとることができる。
【０１２１】
図２０（ａ）および図２１（ａ）に示すように、支持ベース部材下体４０２に第１および第２のディスク収納部２０１、３０１を取り付けた状態において、第１および第２のディスク収納部２０１、３０１の回転規制は、支持ベース部材下体４０２に設けられたディスク１００の位置決め部４２０、４２１と、第１および第２のディスク収納部２０１、３０１に設けられた第２の回転規制部２１０、３１０とを当接させることにより行われる。
【０１２２】
一方、図２０（ｂ）および図２１（ｂ）に示すように、第１および第２のロック部材５０１、６０１を支持ベース部材下体４０２に取り付けた状態において、第１および第２のディスク収納部２０１、３０１の回転規制は、第１および第２のロック部材５０１、６０１に設けられた係止レバー部５０２、６０２と第１および第２のディスク収納部２０１、３０１に設けられた第１の回転規制部２１１、３１１とを当接させることにより行われる。
【０１２３】
第１の実施形態のディスクカートリッジ１１の組み立て手順では、ディスク１００を収納し、かつ第１のディスク収納部２０１と第２のディスク収納部３０１とを閉塞した状態で支持ベース部材下体４０２に装着していた。これに対して、本実施形態では、まずディスク１００の着脱可能な回転角度で第１のディスク収納部２０１と第２のディスク収納部３０１を支持ベース部材下体４０２に装着し、次にディスク１００を収納する。その後、第１および第２のディスク収納部２０１、３０１を閉塞し、第１および第２のロック部材５０１、６０１を取り付ける。最後に支持ベース部材上体４０１を支持ベース部材下体４０２に接着もしくは溶着することによりディスクカートリッジ１３が完成する。
【０１２４】
本実施形態によれば、ディスク１００を挿入する前に第１および第２のディスク収納部２０１、３０１を支持ベース部材下体４０２に取り付けるため、組み立て時にディスク１００を収納し、連動部２０３、３０３を噛み合わせた上で第１および第２のディスク収納部２０１、３０１を閉塞させるという正しく保持することが容易ではない状態をとる必要がない。このため、組立工程を簡略化することができる。
【０１２５】
（第４の実施形態）
以下、本発明によるディスクカートリッジの第４の実施形態を説明する。図２２は、ディスクカートリッジ１４の分解斜視図である。これらの図において第１および第２の実施形態と同じ構成要素には同じ参照符号を付している。ディスクカートリッジ１４は、支持ベース部材上体４０１と支持ベース部材下体４０２とが連結部４３０ｆで連結されている点が第２の実施形態のディスクカートリッジ１２と異なっている。
【０１２６】
部材４３０において、支持ベース部材上体４０１と支持ベース部材下体４０２とは連結部４３０ｆによって連結されている。このため、第ディスクカートリッジ１４の組み立ては容易である。図２２に示すように、まずディスク１００の着脱可能な回転角度で第１のディスク収納部２０１と第２のディスク収納部３０１を第１の支持ベース部材４３０の支持ベース部材下体４０２に装着し、次にディスク１００を収納する。その後に第１および第２のディスク収納部２０１、３０１を閉塞し、さらに第１および第２のロック部材５０１、６０１を装着する。
【０１２７】
最後に支持ベース部材４３０を連結部４３０ｆで矢印４０１Ａ方向へ折り曲げ、支持ベース部材上体４０１と支持ベース部材下体４０２とを接着もしくは溶着することによりディスクカートリッジ１４が完成する。
【０１２８】
また、図２３に示すように、支持ベース部材上体４０１と支持ベース部材下体４０２と第１および第２のロック部材５０１、６０１とが連結された部材４４０を用いてディスクカートリッジ１４を作製してもよい。
【０１２９】
図２３に示すように、部材４４０において、支持ベース部材上体４０１と支持ベース部材下体４０２とが図２２で示すように連結されており、さらに第１および第２のロック部材５０１、６０１が、連結部４４０ｆ、４４０ｇによって支持ベース部材下体４０２に連結されている。
【０１３０】
ディスカートリッジ１４を作製するためには、まずディスク１００の着脱可能な回転角度で第１のディスク収納部２０１と第２のディスク収納部３０１を第１の支持ベース部材４３０の支持ベース部材下体４０２に装着し、次にディスク１００を収納する。その後に第１および第２のディスク収納部２０１、３０１を閉塞する。
【０１３１】
次に、第１および第２のロック部材５０１、６０１を連結部４４０ｆ、４４０ｇにおいて矢印５０１Ａ、矢印６０１Ａ方向へ折り曲げて装着した後、連結部４４０ｆ、４４０ｇを切断する。最後に、支持ベース部材４４０を連結部４４０ｈで矢印４０１Ａ方向へ折り曲げ、支持ベース部材上体４０１と支持ベース部材下体４０２とを接着もしくは溶着することによりディスクカートリッジ１４’が完成する。
【０１３２】
このような工程によって組み立てを行うために、部材４３０、４４０は、折り曲げ工程に適した破断伸びが２００％以上である例えばプリプロピレンあるいはポリエチレン等の樹脂材料から成形されていることが好ましい。また、第１および第２のディスク収納部２０１、３０１は剛性の高い例えばＰＢＳからなり、部材４３０、４４０とは異なる材料によって成形されていることが好ましい。
【０１３３】
このように、このように本実施形態によれば、支持ベース部材上体と支持ベース部材下体を連結させることにより、部品点数を削減し組み立て工程を簡素化することができる。さらに、支持ベース部材上体と支持ベース部材下体と第１と第２のロック部材とを連結させることにより、部品点数の大幅な削減と組み立て工程のさらなる簡素化が実現できる。
【０１３４】
（第５の実施の形態）
以下、本発明によるディスクカートリッジの第５の実施の形態を説明する。
【０１３５】
図２４は、ディスクカートリッジ１５の分解斜視図である。図２４に示すように、ディスクカートリッジ１５は、第１および第２のディスク収納部９２０、９３０、支持ベース部材下体９４０、支持ベース部材上体９７０および第１および第２のロック部材９６０、９７０を備え、ディスク１００を収納する。
【０１３６】
第１および第２のディスク収納部９２０、９３０によりディスク１００を収納し、開放状態においてヘッド開口部およびチャッキング開口部を形成する機能は第１の実施形態のディスクカートリッジ１１と同じである。また、第１の実施形態と同様、支持ベース部材下体９４０および支持ベース部材上体９７０とからなる支持ベース部材９４０が、第１および第２のディスク収納部９２０、９３０を回動支持し、ディスク１００と垂直な方向への変形を防止する機能を有する。
【０１３７】
以下、まず、図２５から図２７を参照しながら、ディスクカートリッジ１５を組み立てる手順を説明しながらディスクカートリッジ１５の構造を合わせて説明する。
【０１３８】
図２５に示すように、まず、支持ベース部材下体９４０に第１および第２のディスク収納部９２０、９３０が組み込まれる。このとき、第１および第２のディスク収納部９２０、９３０が、支持ベース部材下体９４０に設けられた第１および第２の回転支持部９４３Ａ、９４３Ｂに対して回動可能となるよう、第１および第２の回転支持部９４３Ａ、９４３Ｂをそれぞれ第１および第２のディスク収納部９２０、９３０の回動孔９２２、９３２に挿入する。
【０１３９】
支持ベース部材下体９４０には、ディスクカートリッジ全体の剛性および強度を向上させるために、後述する、支持ベース部材上体９７０まで達して接合される第１および第２の支柱９４４Ａおよび９４４Ｂが設けられており、第１および第２のディスク収納部９２０および９３０には、回動時を含めてこれらを回避するための第１および第２の支柱逃げ９２３および９３３が設けられている。
【０１４０】
また、支持ベース部材下体９４０には、後述する第１および第２のディスク収納部９２０および９３０の閉塞状態における回動をロックするのに寄与する部位である第１および第２の係止凸部９４８Ａおよび９４８Ｂが設けられており、第１および第２のディスク収納部９２０および９３０には、ロック解除後の回動時にこれらを回避するための第１および第２の回避部９２８および９３８が設けられている。
【０１４１】
また、支持ベース部材下体９４０には、第１および第２のディスク収納部９２０、９３０の閉塞状態において、第１および第２のロック部材９５０、９６０の離脱を阻止するための、第１および第２のロック部材制止部９４９Ａ、９４９Ｂが設けられており、第１および第２のディスク収納部９２０、９３０には、ロック解除後の回動時にこれらを回避するための第１および第２のロックストッパ逃げ９２９、９３９が設けられている。
【０１４２】
さらに、支持ベース部材下体９４０には、本実施の形態におけるディスクカートリッジにデータを記録および／または再生する際に使用するディスク装置に設けられた位置決めピン（不図示）が嵌合する第１および第２の本体位置決め穴Ａ９４１ＡＡ、９４１ＢＡと、第１および第２の本体位置決め穴Ｂ９４１ＡＢ、９４１ＢＢが設けられている。
【０１４３】
また、支持ベース部材下体９４１には、第１および第２のディスク収納部９２０および９３０が回動する際に接触する特定の基準面として設定された、下体収納部基準面９４２が設けられている。
【０１４４】
次に、図２６に示すように支持ベース部材上体９７０を、支持ベース部材下体９４０に固定支持する。このとき、支持ベース部材上体９７０に設けられた第１、第２、第３および第４の位置決め穴９７７Ａ１、９７７Ａ２、９７７Ａ３、９７７Ａ４を、支持ベース部材下体９４０に設けられた第１、第２、第３および第４の位置決め突起９４７Ａ１、９４７Ａ２、９４７Ａ３、９４７Ａ４に嵌合させることにより、位置決めを行う。固定支持するためには、これらの位置決め穴と位置決め突起の部分、もしくはそれ以外の平坦な部分に接着剤を塗布して接着することが可能である。また、支持ベース部材下体９４０および支持ベース部材上体９７０が樹脂材料により構成されている場合には、支持ベース部材下体９４０の支持ベース部材上体９７０に対向した端面である本体端面９４５と、支持ベース部材上体９７０とを超音波溶着することも可能である。このときには、別途溶着しろを設ける必要があるが、図２６においては図示していない。
【０１４５】
第１および第２の回転支持部は、支持ベース部材上体９７０に設けられた第１および第２の回動支持穴９７３Ａ、９７３Ｂと嵌合し、第１および第２の支柱９４４Ａ、９４４Ｂは第１および第２の支柱支持穴９７４Ａ、９７４Ｂと嵌合する。この嵌合部分については接着されなくても、単に嵌合するだけで確実に位置決めがされれば良い。より強固な固定が必要な場合には接着されることが望ましい。
【０１４６】
次に、図２７に示すように、第１および第２のロック部材９５０、９６０を装着する。このとき、支持ベース部材上体９７０を除去して表した図２８に示すように、第１および第２のロック部材９５０、９６０にそれぞれ設けられた、第１および第２の被ロックガイド部Ｂ９５５Ｂ、９６５Ｂが、それぞれ矢印Ｄ９５Ａ方向および矢印Ｄ９６Ａ方向へ、第１および第２のディスク収納部９２０、９３０に設けられた第１および第２の逆止部位９２４、９３４を押し広げながら、第１および第２の開放部９２１、９３１に対して挿入される。挿入された後には第１および第２の逆止部位９２４、９３４により、第１および第２の被ロックガイド部Ｂ９５５Ｂ、９６５Ｂの排出が阻止された状態で保持される。このとき、第１および第２のロック部材９５０、９６０は、第１および第２のディスク収納部９２０、９３０に対して、矢印Ｄ９５ＡおよびＤ９６Ａ方向にスライド可能な状態である。
【０１４７】
このようにして、ディスクカートリッジ１５の構成部品が全て組み込まれる。なお、図２８において、第１および第２の被ロックガイド部Ａ９５５Ａ、９６５Ａは、第１および第２のロック部材９５０および９６０が矢印Ｄ９５Ａ方向および矢印Ｄ９６Ａ方向へさらに挿入された際、第１および第２の被ロックガイド部Ｂ９５５Ｂ、９６５Ｂと共に、第１および第２のロック部材９５０、９６０を第１および第２のディスク収納部９２０、９３０に対してガイドする。
【０１４８】
また、付勢部９５９、９６９は板バネ状の形状を有し、第１および第２のロック部材９５０、９６０を、ロック解除状態の位置からロック状態の位置へ復帰させる。
【０１４９】
第１のガイド斜面Ａ９５４Ａ、９６４Ａおよび第２のガイド斜面Ｂ９５４Ｂ、９６４Ｂは、第１および第２のロック部材を、図２８に示す状態に組み込んだ後、さらに矢印Ｄ９５Ａ方向および矢印Ｄ９５Ｂ方向へ移動させる際に、動作を円滑に行うための誘いとなる。第１および第２のガイド斜面Ａ９５４Ａ、９６４Ａ、第１および第２のガイド斜面Ｂ９５４Ｂ、９６４Ｂの詳細の機能は後述する。
【０１５０】
図２９は、この時点において組み込まれた部品の位置関係を、支持ベース部材下体９４０を除いた状態で、図２７における矢印Ｐ１方向側から見た斜視図である。
【０１５１】
図２９において、位置決め接触面９５７Ａ、９５７Ｂ、および９６７Ａ、９６７Ｂは、第１および第２のロック部材９５０、９６０の支持ベース部材下体９４０に対向している。後述するように、第１および第２のロック部材９５０、９６０がロック解除状態であるときに、第１および第２の係止凸部９４８Ａ、９４８Ｂは第１および第２の通過部９５３、９６３を通過する。また、第１および第２のロック解除斜面９５８、９６８は、第１および第２のディスク収納部９２０、９３０が第１の開放状態から閉塞状態へ回動する際、第１および第２のロック部材９５０および９６０をいったん、図２８に示す矢印Ｄ９５Ａ方向およびＤ９６Ａ方向へ移動させるために、第１および第２の係止凸部９４８Ａ、９４８Ｂに当接する。
【０１５２】
第１の収納部位置決め穴９２７は、ディスクカートリッジ１５がディスクドライブ装置に装填される際、第１の本体位置決め穴Ａ９４１ＡＡとともに同時にディスクドライブ装置の位置決めピン（不図示）に嵌合し、支持ベース部材９４０および第１のディスク収納部９２０を同時に位置決めする。同様に、第２の収納部位置決め穴９３７は、ディスクカートリッジ１５がディスクドライブ装置に装填される際、第２の本体位置決め穴Ａ９４１ＢＡとともに同時にディスクドライブ装置の位置決めピン（不図示）に嵌合し、支持ベース部材９４０および第２のディスク収納部９３０を同時に位置決めする。
【０１５３】
次に、構成部品が全て組み込まれたディスクカートリッジ１５に、ディスク１００を収納する工程を、図３０から図３４を参照して説明する。図３０から図３４は、全ての構成部品が組み込まれ、種々の開放状態にあるディスクカートリッジ１５の図２７に示す断面線Ｓ１−Ｓ１より下部分を示している。
【０１５４】
図３０から図３４に示すように、第１および第２のディスク収納部９２０、９３０の、閉塞状態を除く全ての状態において、第１および第２の支柱９４４Ａ、９４４Ｂは、第１および第２の支柱逃げ９２３、９３３により第１および第２のディスク収納部９２０、９３０との干渉が回避されている。また第１および第２の係止凸部９４８Ａ、９４８Ｂは、第１および第２の回避部９２８、９３８により第１および第２のディスク収納部９２０、９３０との干渉が回避されている。さらに第１および第２のロック部材制止部９４９Ａ、９４９Ｂは、第１および第２のロックストッパ逃げ９２９、９３９により、第１および第２のディスク収納部９２０、９３０との干渉が回避されている。 
【０１５５】
図３０は、第１および第２のディスク収納部９２０、９３０が、全構成部品の組み込まれたディスクカートリッジ１５にディスク１００を収納可能となる第２の開放状態となっている様子を示す。
【０１５６】
図３０に示すように、第２の開放状態では、第１のディスク収納部９２０および第２のディスク収納部９３０は、ディスク１００が矢印Ｄ１０Ａ方向に挿入されるのに十分な開口部を確保している。このとき第１のディスク収納部９２０は、第１の収納部位置決め穴９２７と第１の本体位置決め穴Ｂ９４１ＡＢとが一致する位置となるように開放されている。同様に、第２のディスク収納部９３０は、第２の収納部位置決め穴９３７と第２の本体位置決め穴Ｂ９４１ＢＢとが一致する位置となるように開放されている。
【０１５７】
これにより、ディスク１００をディスクカートリッジに収納する工程において使用するベース部材（不図示）に、ディスクカートリッジを固定保持する際に、第１および第２のディスク収納部９２０および９３０は確実に第２の開放状態となり、かつ、ベース部材に対して正確に位置決めされる。
【０１５８】
第１および第２のディスク収納部９２０、９３０には、第１および第２のロック部材９５０、９６０より付勢力を受ける部位である第１および第２のバネ係止部９２６、９３６が設けられている。しかし、図３０に示す状態においては、第１の付勢部位９５９に設けられた第１の付勢部位端部９５９Ａ、および第２の付勢部位９６９に設けられた第２の付勢部位端部９６９Ａは、第１および第２のバネ係止部９２６、９３６には当接していない。
【０１５９】
なお図３０に示す状態では、第１および第２のロック部材９２０、９３０は、第１および第２のガイド斜面Ａ９５４Ａ、９６４Ａが、支持ベース部材下体９４０に設けられた第１および第２の回動ストッパ９４６Ａ、９４６Ｂに当接して制止されることにより、開放角度が制限される。しかし、第１および第２の本体位置決め穴Ｂ９４１ＡＢ、９４１ＢＢと、第１および第２の収納部位置決め穴９２７、９３７とが一致する状態においては、当接せずクリアランスを有している。このため、第１および第２のディスク収納部９２０、９３０は、矢印Ｄ９２Ａ方向および矢印Ｄ９３Ａ方向に、若干の回動が可能である。
【０１６０】
図３０に示す状態にてディスク１００を収納した後、図３１に示すように、第１および第２のディスク収納部９２０、９３０を矢印Ｄ９２Ｂ、Ｄ９３Ｂ方向へ回動させると共に、第１および第２のロック部材９５０、９６０を、矢印Ｄ９５Ａ、Ｄ９６Ａ方向へ回動させる。この際、第１および第２のロック部材９５０、９６０を回動させるのに、第１および第２のロック操作部９５６、９６６を矢印Ｄ９５Ａ、Ｄ９６Ａ方向に付勢することができる。
【０１６１】
このとき、第１および第２のディスク収納部９２０、９３０と第１および第２のロック部材９５０、９６０の回動動作に伴い、第１および第２のガイド斜面Ａ９５４Ａ、９６４Ａが、支持ベース部材下体９４０に設けられた第１および第２の回動ストッパ９４６Ａ、９４６Ｂに当接する可能性のある位置関係となる。しかし、互いの当接面同士が、回動動作に支障を及ぼさないような斜面形状となっている。
【０１６２】
さらに続けて図３２に示すように、第１および第２のディスク収納部９２０、９３０を矢印Ｄ９２Ｂ、Ｄ９３Ｂ方向へ回動させると共に、第１および第２のロック部材９５０、９６０を、矢印Ｄ９５Ａ、Ｄ９６Ａ方向へ回動させると、第１および第２のガイド斜面Ｂ９５４Ｂ、９６４Ｂが、第１および第２の回動ストッパ９４６Ａ、４６Ｂに当接する可能性のある位置関係となる。しかし、この場合も同様に、互いの当接面同士が、回動動作に支障を及ぼさないような斜面形状となっている。
【０１６３】
このあとさらに図３３に示すように、第１および第２のディスク収納部９２０、９３０を矢印Ｄ９２Ｂ、Ｄ９３Ｂ方向へ回動させると共に、第１および第２のロック部材９５０、９６０を、矢印Ｄ９５Ａ、Ｄ９６Ａ方向へ回動させ、第１および第２のガイド斜面Ａ９５４Ａ、９６４Ａの全領域が第１および第２の回動ストッパ９４６Ａ、９４６Ｂ部分の通過を完了する。この通過が完了するまでの間、第１および第２のロック部材９５０、９６０は、第１および第２の係止凸部と干渉することのないような寸法関係となっている。
【０１６４】
そして図３４に示すように、第１および第２のディスク収納部９２０、９３０は、閉塞した状態となり、ディスク１００の収納が完了する。
【０１６５】
なお図３３に示す状態から図３４に示す状態に至る過程においては、図３３に示す第１および第２のロック解除斜面９５８、９６８が、第１および第２の凸部斜面９４８ＡＡ、９４８ＢＡに当接し、矢印Ｄ９５Ａ、Ｄ９６Ａ方向に付勢されることにより、第１および第２のロック部材９５０、９６０に設けられた第１および第２の通過部９５３、９６３は、第１および第２の係止凸部９４８Ａおよび９４８Ｂを通過する。これにより、第１および第２のディスク収納部９２０、９３０は、第１および第２の係止凸部９４８Ａ、９４８Ｂにより係止されることなく、閉塞することが可能となる。
【０１６６】
また、第１および第２のロック部材９５０、９６０が矢印Ｄ９５Ａ、Ｄ９６Ａ方向へ付勢されることにより、第１および第２の付勢部位端部９５９Ａ、９６９Ａは、第１および第２のバネ係止部９２６、９３６に当接し、さらに第１および第２の付勢部位９５９Ａ、９６９Ａが撓んで弾性変形する。これにより、第１および第２のロック部材９５０、９６０自身が矢印Ｄ９５Ｂ、Ｄ９６Ｂ方向へ移動する力を発生する。
【０１６７】
この結果、図３４に示すように第１および第２のロック部材９５０、９６０は、第１および第２のディスク収納部９２０、９３０を閉塞状態で拘束するように、第１および第２の係止凸部９４８Ａ、９４８Ｂと、第１および第２の回避部９２８、９３８との間を遮断する。
【０１６８】
また第１および第２のディスク収納部９２０、９３０が閉塞した状態では、図２８に示す第１および第２のロック部材９５０、９６０に設けられた第１および第２の被ロックガイドＡ９５５Ａ、９６５Ａは、十分に矢印Ｄ９５Ａ、Ｄ９６Ａ方向に移動しており、第１および第２の逆止部位９２４、９３４により係止され、矢印Ｄ９５Ｂ、Ｄ９６Ｂ方向への排出が阻止される。
【０１６９】
図３５は、閉塞した第１および第２のディスク収納部９２０、９３０と第１および第２のロック部材９５０、９６０とを図２７のＰ１側から見た斜視図である。第１および第２のロックガイド部９２５、９３５は、第１および第２のロック部材９５０、９６０を矢印Ｄ９５、Ｄ９６方向へ移動可能にガイドする。
【０１７０】
上述した通り、第１および第２の被ロックガイド部Ａ９５５Ａ、９６５Ａ、および第１および第２の被ロックガイド部Ｂ９５５Ｂ、９６５Ｂは、第１および第２の逆止部位９２４、９３４により、矢印Ｄ９５Ｂ、Ｄ９６Ｂ方向への排出が阻止された状態にある。これらは、第１および第２のディスク収納部９２０、９３０の周囲に沿って溝状に形成された第１および第２のロックガイド部９２５および９３５に嵌挿されて、この方向にガイドされる。
【０１７１】
図３６は、第１および第２のディスク収納部９２０、９３０に第１および第２のロック部材９５０、９６０が組み込まれた状態を図２７のＰ１側から見た斜視図である。図３６では、支持ベース部材下体９４０が除かれた状態で示されている。
【０１７２】
図３６に示すように、支持ベース部材上体９７０には、第１および第２のディスク収納部９２０、９３０が回動する際に接触する基準面として支持ベース部材上体９７０から突出した上体収納部基準面９７５が設けられている。
【０１７３】
また、支持ベース部材９４０には、図３４に示すように第１および第２のディスク収納部９２０、９３０が閉塞した状態で、第１および第２のロック部材９５０、９６０が矢印Ｄ９５Ｂ、Ｄ９６Ｂ方向に移動しないように、第１および第２のロック部材制止部９４９Ａ、９４９Ｂが設けられている。これにより、第１および第２のディスク収納部９２０、９３０の閉塞した状態における、第１および第２のロック部材９５０、９６０の矢印Ｄ９５Ｂ、Ｄ９６Ｂ方向への移動の阻止力が、さらに強固なものになる。
【０１７４】
このとき、さらに図３７に示すように、第１のロック部材制止部９４９Ａと、これに対向する第１のロック部材９５０に設けられた第１の制止当接部９５６Ａとを当接させ、第１の逆止部位９２４と、これに対向する第１の逆止部位当接部９５５ＡＡとは当接させないように寸法関係を設定し、第１の逆止部位９２４と第１の逆止部位当接部９５５ＡＡとの間に間隙Ｇ９２を設ける。この場合、第１のディスク収納部９２０が閉塞した状態では、第１のロック部材９２０が矢印Ｄ９５Ｂ方向に排出しようとする力は、常時必ず第１のロック部材制止部９４９Ａで受けていることになる。これにより、第１の被ロックガイド部９５５Ａが排出する力を第１の逆止部位９２４により保持する場合に比べ、安定度の高い第１のロック部材制止部９４９Ａに主たる制止機能をもたせることになり、より高い保持性能を確保することが可能となる。
【０１７５】
次に、ディスク１００が収納されたディスクカートリッジ１５をディスクドライブ装置（不図示）に装填する場合の動作を図３８および図３９を参照して説明する。
【０１７６】
図３８および図３９は、ディスクカートリッジ１５の図２７に示す断面線Ｓ１−Ｓ１における断面図である。
【０１７７】
第１および第２のディスク収納部９２０、９３０が閉塞した状態でディスクドライブ装置に挿入されると、ディスク装置に設けられた操作機構（不図示）により、第１および第２のロック部材９５０、９６０に設けられた第１および第２のロック操作部９５６、９６６が、矢印Ｄ９５Ｄ、Ｄ９６Ｄ方向に押圧され、これにより、第１および第２のロック部材９５０、９６０が矢印Ｄ９５Ａ、Ｄ９６Ａ方向へ回動する。
【０１７８】
図３８に示すように、第１および第２のロック部材９５０、９６０は、矢印Ｄ９５Ａ、Ｄ９６Ａ方向に回動することにより、第１および第２のバネ係止部９２６、９３６により第１および第２の付勢部位端部９５９Ａ、９６９Ａが係止され、第１および第２の付勢部位９５９、９６９が弾性変形し、矢印Ｄ９５ＣおよびＤ９６Ｃ方向へ湾曲して撓む。
【０１７９】
このように、第１および第２のディスク収納部９２０、９３０が矢印Ｄ９２Ａ、Ｄ９３Ａ方向へ回動する際、第１および第２の通過部９５３、９６３が第１および第２の係止凸部９４８Ａおよび９４８Ｂとの干渉を回避できる角度まで、第１および第２のロック部材９５０、９６０を、矢印Ｄ９５Ａ、Ｄ９６Ａ方向に回動させる。これにより、第１および第２のディスク収納部９２０および９３０のロックが解除される。
【０１８０】
こうしてロック状態が解除された後、第１および第２のディスク収納部９２０、９３０が矢印Ｄ９２Ａ、Ｄ９３Ａ方向へ回動すると、ディスクカートリッジは、ディスク装置（不図示）にて実際にデータを記録および／または再生が可能な、図３９に示す、第１の開放状態となる。
【０１８１】
このとき第１および第２のロック部材９５０、９６０に設けられた第１および第２の通過部９５３、９６３は、第１および第２の係止凸部９４８Ａ、９４８Ｂを通過し終わっており、またこの時点でディスク装置に設けられた操作機構（不図示）による押圧が解除されるよう設定されておいる。このため第１および第２の付勢部位９５９、９６９は、弾性により発生する付勢力で、図３８に示す撓んだ状態から、図３９に示す状態に戻る。このときにおける、第１および第２のロック部材９５０、９６０の、第１および第２のディスク収納部９２０、９３０に対する相対位置は、閉塞状態で第１および第２のロック部材９５０、９６０が図３８における矢印Ｄ９５Ｄ、Ｄ９６Ｄ方向へ押圧する前の状態、すなわち、図３４に示す状態における相対位置と同じである。
【０１８２】
なお、支持ベース部材下体に設けられた第１および第２のロック部材制止部９４９Ａ、９４９Ｂは、矢印Ｄ９２Ａ、Ｄ９３Ａ方向への第１および第２のディスク収納部９２０および９３０の回動に際し、回動による第１および第２のロック部材９５０、９６０の回動軌跡から外れており、干渉しない。
【０１８３】
また、ディスクカートリッジ１５は、図３９に示すように第１の開放状態となっても、第１および第２のロック部材９５０、９６０が第１および第２の回動ストッパ９４６Ａ、４６Ｂに当接することはない。
【０１８４】
ただし、第１および第２のロック部材９５０、９６０の、第１および第２のディスク収納部９２０、９３０に対する相対位置が図３９に示す状態の時には、第１および第２のディスク収納部９２０、９３０は上述した第２の開放状態まで開放することもない。また、この相対位置の状態では、第１および第２の被ロックガイド部Ａの、矢印Ｄ９５Ｂ、Ｄ９６Ｂ方向への移動は、第１および第２の逆止部位９２４、９３４により、強力な排出力でなければ阻止できる。したがって、一度、ディスク１００がディスクカートリッジ内に収納されて、第１および第２のロック部材９５０、９６０が第１および第２のディスク収納部９２０、９３０に組み込まれると、ディスク１００を矢印Ｄ１０Ｂ方向へ取り出すことはできない。その結果、不用意にディスク１００が取り出されることにより、ディスク１００が汚染されたり傷められたりすることを回避することが可能となる。なお、矢印Ｄ１０Ｂ以外の方向にもディスク１００を取り出すことはできない。
【０１８５】
また、図３９に示す状態においては、第１のディスク収納部９２０は、第１の収納部位置決め穴９２７と第１の本体位置決め穴Ａである９４１ＡＡとが一致する位置となるように開放されている。同様に、第２のディスク収納部９３０は、第２の収納部位置決め穴９３７と第２の本体位置決め穴Ａである９４１ＢＡとが一致する位置となるように開放されている。
【０１８６】
これにより、ディスクドライブ装置（不図示）にて実際にデータを記録および／または再生する際において、ディスクドライブ装置（不図示）にディスクカートリッジを固定保持する際、第１および第２のディスク収納部９２０、９３０を確実に位置決めピン（不図示）にて第１の開放状態にして、かつ、ディスク装置に対して正確に位置決めすることが可能となる。
【０１８７】
ディスクカートリッジ１５をディスクドライブ装置から排出する場合、図３９に示す状態から図３８に示す状態をとる。この場合、ディスクカートリッジ１５は第１および第２のロック部材９５０、９６０が組み込まれた第２の開放状態からディスク１００を収納するまでの過程における、上述した、図３３に示す状態から図３４に示す状態に至る際の動作と同様に動作する。具体的には、第１および第２のディスク収納部９２０、９３０を矢印Ｄ９２Ｂ、Ｄ９３Ｂ方向へ回動させると、図１０に示す第１および第２のロック解除斜面９５８、９６８が、第１および第２の凸部斜面９４８ＡＡ、９４８ＢＡに当接して矢印Ｄ９５Ａ、Ｄ９６Ａ方向に付勢されることにより、第１および第２のロック部材９５０、９６０に設けられた第１および第２の通過部９５３、９６３は、第１および第２の係止凸部９４８Ａ、９４８Ｂを通過することが可能となる。
【０１８８】
なお、本実施形態では、第１および第２のディスク収納部９２０、９３０と支持ベース部材下体４００の位置決めを、第１の開放状態と第２の開放状態とで、異なる位置にある位置決めピン（不図示）を用い行っていた。具体的には、支持ベース部材下体９４０と第１および第２のディスク収納部９２０、９３０とを同時に位置決めする際、第１および第２のディスク収納部９２０、９３０の第１の開放状態では、第１および第２の本体位置決め穴Ａ９４１ＡＡ、９４１ＢＡと、第１および第２の収納部位置決め穴９２７、９３７を使用し、第２の開放状態では、第１および第２の本体位置決め穴Ｂ９４１ＡＢ、９４１ＢＢと、第１および第２の収納部位置決め穴９２７、９３７を使用していた。
【０１８９】
これにより、ディスクドライブ装置にて使用する際の第１の開放状態と、ディスク１００をディスクカートリッジに収納する工程における第２の開放状態とで、使用する位置決めピンの位置を異ならせることにより、第１の状態にあるディスクカートリッジを誤ってディスク１００を収納する工程に用いたり、第２の状態にあるディスクカートリッジを誤ってディスクドライブ装置で使用することを回避することが可能となるという効果があった。
【０１９０】
しかし、第１および第２のディスク収納部９２０、９３０と支持ベース部材下体４００の位置決めを、第１の開放状態と第２の開放状態とで、同じ位置にある位置決めピン（不図示）を用い行ってもよい。図４０はこのようなディスクカートリッジ１５’の支持ベース部材下体９４０と第１および第２のディスク収納部９２０および９３０を示す分解斜視図である。
【０１９１】
ディスクカートリッジ１５’は、第１および第２のディスク収納部９２０、９３０に、第１および第２の収納部位置決め穴Ａ９２７Ａ、９３７Ａと、第１および第２の収納部位置決め穴Ｂ９２７Ｂ、９３７Ｂがそれぞれ設けられている点、および、支持ベース部材下体９４０に第１および第２の本体位置決め穴９４１Ａ、９４１Ｂのみが設けられている点で第５の実施形態のディスクカートリッジ１５とは異なっている。
【０１９２】
なお、第１および第２の収納部位置決め穴Ａ９２７Ａ、９３７Ａおよび第１および第２の収納部位置決め穴Ｂ９２７Ｂ、９３７Ｂは、第１および第２の収納部９２０、９３０の支持ベース部材下体９４０側に設けられており、図４０で示す視点からは実際には見えない。このため、図４０において、第１および第２の収納部９２０、９３０の一部を破れ線で示すように切り取ってこれらを図示している。
【０１９３】
ディスクカートリッジ１５’によれば、第１の開放状態では、第１および第２の本体位置決め穴９４１Ａ、９４１Ｂおよび第１および第２の収納部位置決め穴Ａ９２７Ａ、９３７Ａを使用し位置決めを行い、第２の開放状態では、第１および第２の本体位置決め穴９４１Ａ、９４１Ｂおよび第１および第２の収納部位置決め穴Ｂである９２７Ｂ、９３７Ｂを使用して位置決めを行う。
【０１９４】
これにより、ディスドライブ装置内に設けられる位置決めピンの位置と、ディスク１００をディスクカートリッジ１５’に収納する工程において使用するベース部材（不図示）に設けられる位置決めピンの位置とを、共通に設計にすることが可能となる。ことにより、設計工数、あるいは部品の共通化を図ることが可能となる。
【０１９５】
なお、本実施形態では、図２８に示すように、支持ベース部材下体９４０、第１および第２のディスク収納部９２０、９３０および支持ベース部材上体９７０を組み立てた後、第１および第２のロック部材９５０、９６０を組み込むように説明した。しかし、第１および第２のロック部材９５０、９６０は、第１および第２のディスク収納部９２０、９３０に予め仮固定し、支持ベース部材下体９４０に組み込むことも可能である。
【０１９６】
また、支持ベース部材下体９４０、支持ベース部材上体９７０、第１および第２のディスク収納部９２０、９３０、第１および第２のロック部材９５０、９６０は、樹脂をはじめ、ディスクカートリッジに使用される公知の材料を用いて形成することができる。第１および第２の付勢部位９５９、９６９が弾性変形する期間はロックが解除されてから第１および第２のディスク収納部９２０、９３０が開放するまでの間だけであり、弾性変形した状態で連続時間使用されることがない。このため、この部分にも樹脂材料を使用しても、クリープ変形を生じるという問題が生じる可能性はほとんどない。
【０１９７】
また、第１および第２の付勢部位９５９、９６９は、第１および第２のロック部材９５０、９６０と一体的に構成しているが、特にバネ性とロック時の強靱性がそれぞれ必要である。このため、一体の部品ではその両立が困難な場合、それぞれの性能を満たすことのできる材料で個別に構成し、接合したものを使用してもよい。
【０１９８】
第１および第２のロック部材９５０、９６０は、付勢部位９５９、９６９の部分と第１のバネ係止部９２６、９３６との間で繋がり、第１および第２のディスク収納部９２０、９３０と一体的に構成されたものであってよい。
【０１９９】
第１および第２の回避部９２８、９３８は、図３５あるいは図３６に示すように第１および第２の回動孔９２２、９３２を中心とした円弧状に形成している。しかし、第１および第２の係止凸部９４８Ａ、９４８Ｂを回避可能な形状であれば、特にその形状は円弧状でなくてもよい。
【０２００】
第１および第２のロックストッパ逃げ９２９、９３９は、図３５あるいは図３５に示すように、第１および第２の回動孔９２２、９３２を中心とした円弧状に形成している。しかし、第１および第２のロック部材制止部９４９Ａ、９４９Ｂを回避可能な形状であれば、特にその形状は円弧状でなくてもよい。
【０２０１】
第１および第２の係止凸部９４８Ａ、９４８Ｂは、図２４あるいは図２５に示すように、第１および第２の回転支持部９４３Ａ、９４３Ｂを中心とした円弧状に形成している。しかし、第１および第２のディスク収納部９２０、９３０を拘束可能な形状であれば、特にその形状は円弧形状の一部でなくともよい。
【０２０２】
第１および第２の本体位置決め穴Ａ９４１ＡＡ、９４１ＢＡは、図３５あるいは図３４に示すようにいずれも真円形である。しかし、いずれかの穴は、両者の中心同士を結ぶ直線に平行な方向に伸延し、短軸方向で位置決めピンに対する位置が決まる長円形状であってもよい。
【０２０３】
第１および第２の本体位置決め穴Ｂである９４１ＡＢ、９４１ＢＢは、図２４あるいは図２５に示すようにいずれも真円形である。しかし、いずれかの穴は、両者の中心同士を結ぶ直線に平行な方向に伸延し、短軸方向で位置決めピンに対する位置が決まる長円穴形状であってもよい。
【０２０４】
また、第１および第２の本体位置決め穴９４１Ａ、９４１Ｂは、図４０に示すようにいずれも真円形である。しかし、いずれかの穴は、両者の中心同士を結ぶ直線に平行な方向に伸延し、短軸方向で位置決めピンに対する位置が決まる長円形状であってもよい。
【０２０５】
また、第１および第２の収納部位置決め穴９２７、９３７は、図３５あるいは図３６に示すようにいずれも真円形である。しかし、いずれかの穴は、両者の中心同士を結ぶ直線に平行な方向に伸延し、短軸方向で位置決めピンに対する位置が決まる長円形状であってよい。
【０２０６】
また、第１および第２の収納部位置決め穴Ａ９２７Ａ、９３７Ａは、図４０に示すようにいずれも真円形である。しかし、いずれかの穴は、両者の中心同士を結ぶ直線に平行な方向に伸延し、短軸方向で位置決めピンに対する位置が決まる長円形状であってもよい。
【０２０７】
また、第１および第２の収納部位置決め穴Ｂ９２７Ｂ、９３７Ｂは、図１４０に示すようにいずれも真円形である。しかし、いずれかの穴は、両者の中心同士を結ぶ直線に平行な方向に伸延し、短軸方向で位置決めピンに対する位置が決まる長円形状であってもよい。
【０２０８】
以上、説明したように、本発明のディスクカートリッジによれば、カートリッジ外形を規定していた従来のハウジングをなくし、カートリッジ外形を規定し、かつシャッタ機能も有する一対のディスク収納部を備える。この一対のディスク収納部を支持ベース部材に対してお互いを反対に回転させることにより、小型のカートリッジにおいても大きなヘッド開口部とチャッキング開口部を外部に対して閉塞・開放させることができる。
【０２０９】
また、従来のディスクカートリッジには、シャッタを開放または閉塞させるための移動ガイド部をヘッド開口部に設ける必要があるため、ヘッドの高さが制限されていた。しかし、本発明では一対のディスク収納部が開放して、移動ガイド部が存在しない大きなヘッド開口部を構成できる。従って小型カートリッジにおいても大型カートリッジと同等のヘッド開口部を設けることができるとともに、光ヘッドの設計上の高さ制限事項を大きく緩和することができる。
【０２１０】
また、一対のディスク収納部が開放している場合に、ディスクの中心位置の位置決めは、支持ベース部材側のみで規制されるのではなく、一部をディスク装置側の位置決め部材で規制することができる。その結果、従来必要とされていた支持ベース部材の位置決め精度が緩和され、かつディスク装置内におけるディスクの位置決め精度は逆に大きく向上する。
【０２１１】
さらに一対のディスク収納部が閉塞している状態では、従来必要とされていた位置決めの許容空間をなくしディスクをディスク収納部の内壁で完全に保持することも可能である。これにより、ディスクのガタツキ衝突による不快な音やディスクの情報記録面への埃等の付着も防止できる。
【０２１２】
また、一対のディスク収納部でシャッタ機能とディスク収納機能を兼ね備えることができるため、構造の簡素化と部品点数の大幅な削減で、カートリッジのコストを低下させることができる。
【０２１３】
さらに、シャッタ機能とディスク収納機能を兼ね備えることで、ドライブ装置を含めた許容高さの配分設計を考えれば、ディスク収納部の厚さを従来よりも厚くし得る。したがって、ディスクカートリッジの密閉性と堅牢性を大きく向上させることが可能となる。
【０２１４】
また、一対のディスク収納部はお互い連動して反対に回転し、かつそれぞれに対して開放する方向の回転動作を拘束するロック部材を設けている。このため、外部から１つのロック部材を解除した場合においても、ディスク収納部は回転させることはできない。これにより、一対のロック部材をまったく同時に解除した場合のみディスク収納部を開放させることが可能となり、ユーザによる不必要なディスク収納部の開放を防ぐぎ、ディスク表面への不慮の指紋付着をほぼ完全に抑制できる高い信頼性を確保できる。
【０２１５】
また、シャッタ機能を有するディスク収納部と支持ベース部材は、全てが積層された二重構造もしくは一部が積層された二重構造を構成できるため、従来のカートリッジに比べて、極めて堅牢な構造を取り得る。
【０２１６】
従って、携帯用の小型ディスクカートリッジには不可欠な条件である搬送時での落下衝撃や踏みつけ等の厳しい外乱条件に対して、従来にない優れた耐衝撃特性を実現できる。
【０２１７】
また、直径が小さいディスクを収納するカートリッジにおいて、ディスクに金属製のクランプ板を装着した状態でカートリッジに収納する場合があるが、本発明によれば、ディスクの上下面に同等のチャッキング開口部を原理上簡単に設けることができるため、クランプ板をカートリッジに内蔵する必要がない。従って、クランプ機能をディスク装置側に実現でき、金属部品が全くないディスクカートリッジとしてより安価な構成を実現できる。
【０２１８】
加えて、シャッタ機能とディスク収納機能を兼ね備えた一対のディスク収納部とディスク収納部を回転支持する支持ベース部材からなる構造は、従来にない極めて独創的なカートリッジデザインを提供することができる。
【０２１９】
したがって、本発明によれば、カートリッジ投影面積に対してヘッド開口部を大きく設計することができ、ヘッド設計への高さ制限を緩和することができるとともに、ディスク装置内におけるディスクの位置決め精度を向上し、かつ部品点数の削減で安価にすることができ、高い防塵性、信頼性と堅牢な構造で耐衝撃性に優れる。さらに従来にない独創的なデザインを実現可能であり、ディスクビデオカメラを含めた種々の小型ディスクドライブ装置に使用可能な携帯用に適したディスクカートリッジを提供することができる。
【０２２０】
また、データ記録用媒体とし、ディスクカートリッジの構成部品の製造、およびこれらの組立と、ディスクそのものの製造とは、工法あるいは検査工程などに大きな差があるため、これらの製造工程を完全に分離することが好ましい。本発明のディスクカートリッジによれば、ディスクを除くディスクカートリッジのみを構成する構成部品が全て組み立てられた状態でディスクをカートリッジ内部に挿入することが可能となる。これにより、ディスクカートリッジのみを完成状態まで組み立てる工程と、ディスクを挿入する工程とを完全に分離することができ、製造コストを大幅に削減することが可能となる。
【０２２１】
また本発明のディスクカートリッジによれば、ロック部材が回転可動な各ディスク収納部側に移動可能に保持されることにより、ロック部材の位置および各ディスク収納部の回転移動量の制約が少なくなり、設計自由度を高くすることが可能となる。
【０２２２】
また本発明のディスクカートリッジによれば、各ディスク収納部の閉塞かつロック状態、ロック解除状態、第１の開放状態、および、第２の開放状態の４種類の状態において、ロック部材は各々異なるロック部材位置をとり得ることにより、各状態ごとに個別の機能を果たすことが可能となる。
【０２２３】
また本発明のディスクカートリッジによれば、第３のロック部材位置におけるロック部材の各ディスク収納部に対するロック部材の相対位置が、第１のロック部材位置における相対位置と同じとなることにより、第１の開放状態から第２の開放状態へ各ディスク収納が回転する間以外では、ロック部材が安定した元の状態に復帰することが可能となる。
【０２２４】
また本発明のディスクカートリッジによれば、第４のロック部材位置でのみ第２の開放状態となることにより、ディスクを外部へ取り出すための特定のロック部材位置以外ではディスクの取り出しができないため、不用意にディスクが外部へ排出することを防止することが可能となる。
【０２２５】
また本発明のディスクカートリッジによれば、第３のロック部材位置で、固定部材である支持ベース部材により各ディスク収納部の、第１の開放状態から前記第２の開放状態への回転がより強固に阻止される。
【０２２６】
また本発明のディスクカートリッジによれば、係止凸部と各ディスク収納部の間にロック部材が介在して各ディスク収納部の回転を阻止する構成とすることにより、各ディスク収納部の閉塞状態を保持するためのロック機構を、簡便、かつ、省スペースで構成できるとともに、強靭なロック機能を実現することが可能となる。
【０２２７】
また本発明のディスクカートリッジによれば、係止凸部が、各ディスク収納部の回転動作領域内に設けられるため、各ディスク収納部の回転軸方向へのディスクカートリッジの投影面積を小さくでき、全体の小型化を実現することが可能となる。
【０２２８】
また本発明のディスクカートリッジによれば、各ディスク収納部に、係止凸部の干渉を回避する回避部が設けられることにより、各ディスク収納部の回転軸に直交する面内で係止凸部を回避することが可能であるため、ディスクカートリッジの回転中心軸に平行な方向の寸法、すなわち厚さ寸法を抑えることが可能となる。
【０２２９】
また本発明のディスクカートリッジによれば、ロック部材がロック解除状態からロック状態へ移行するための付勢部位を備えることにより、ロック部材は、外部より操作することなく自発的に第２のロック部材位置から第１のロック部材位置へ戻ることができる。
【０２３０】
また本発明のディスクカートリッジによれば、付勢部位は、ロック解除時以外は各ディスク収納部または支持ベース部材に対して付勢力を与えないため、例えば樹脂材料のような、クリープ変形を起こす可能性のある材料などにより、付勢部位、各ディスク収納部または支持ベース部材を構成した場合においても、不具合を発生することを回避できる。
【０２３１】
また本発明のディスクカートリッジによれば、各ディスク収納部が第１または第２の開放状態から閉塞状態へ回転する動作に同期して、ロック部材が第３のロック部材位置から第２のロック部材位置へ移動することが可能となるため、閉塞時に外部からロック部材を操作して移動させる必要がない。
【０２３２】
また本発明のディスクカートリッジによれば、ロック部材の一部と、支持ベース部材の一部とが当接することにより、各ディスク収納部の閉塞動作に同期してロック部材が第３のロック部材位置から第２のロック部材位置へ移動可能な構成とすることにより、新たな部品を加えることなく簡便な構成で、確実にロック部材を連動して移動させることが可能となる。
【０２３３】
また本発明のディスクカートリッジによれば、ロック部材が各ディスク収納部に対してスライド可能に保持されることにより、ロック機構を省スペースで簡便に構成することが可能となる。
【０２３４】
また本発明のディスクカートリッジによれば、前記支持ベース部材に組み込まれた各ディスク収納部に、ロック部材を装着することが可能な構成とすることにより、各ディスク収納部が支持ベース部材に組み込まれた後の安定な状態でロック部材を組み込むことが可能であるため、組立作業性を向上することが可能となる。
【０２３５】
また本発明のディスクカートリッジによれば、支持ベース部材に組み込まれた各ディスク収納部にロック部材を組み込むための、明確な開放部がロックガイド部に設けられることにより、組立作業をより正確に行うことが可能となる。
【０２３６】
また本発明のディスクカートリッジによれば、ロックガイド部に設けられた開放部に、ロック部材が組み込まれた後に離脱するのを阻止する逆止部位を設けることにより、特にロック部材の組み込み作業後などにおける不用意な離脱を防止することが可能となる。
【０２３７】
また本発明のディスクカートリッジによれば、ロック部材制止部を支持ベース部材に設けることにより、ロック部材の離脱を防止する機能が、逆止部位にさらに追加され、二重の離脱防止機能を有する。これにより各ディスク収納部が閉塞された状態、すなわちディスクカートリッジが使用されるディスク装置から取り出される可能性のある状態で、例えばディスクカートリッジが衝撃力を受けた場合など、逆止部位による阻止能力を越える離脱力が発生した際においても、各ロック部材が各ディスク収納部から離脱するのを回避することが可能となる。このため、ディスクカートリッジがディスク装置から取り出された際において、ロック部材が不用意に離脱して各ディスク収納部が開放してしまうことを、さらに確実に防止できる。
【０２３８】
また本発明のディスクカートリッジによれば、各ディスク収納部が閉塞状態である時のみ、ロック部材制止部の制止の機能が有効となるため、この時以外の各ディスク収納部の開放状態で、ロック部材が第４のロック部材位置となることが可能となり、設計自由度が向上する。
【０２３９】
また逆止部位は、ロック部材をロックガイド部へ挿入する際の挿入性と、離脱に対する阻止性が両立される構成であり、逆止部位の阻止性は必然的にロック部材制止部の阻止性に劣るものとなる。本発明のディスクカートリッジによれば、ロックガイド部からのロック部材の主たる離脱阻止機能を逆止部位に持たせるのではなく、離脱を阻止する機能のためだけに設けられたロック部材制止部に持たせることにより、さらに確実かつ強固に、各ロック部材が各ディスク収納部から外れるのを回避することが可能となる。
【０２４０】
また本発明のディスクカートリッジによれば、本体位置決め穴と、同じ位置決めピンで位置決め可能な収納部位置決め穴Ａを設けることにより、第１の開放状態でディスクカートリッジに収納されるディスクをディスク装置にて使用する際には、各ディスク収納部と支持ベース部材を第１の開放状態で確実に保持し、かつディスク装置に対して確実に位置決めすることが可能となる。
【０２４１】
また本発明のディスクカートリッジによれば、本体位置決め穴と、同じ位置決めピンで位置決め可能な収納部位置決め穴Ｂを設けることにより、第２の開放状態でディスクカートリッジへディスクを挿入する工程において、各ディスク収納部と支持ベース部材を第２の開放状態で確実に保持し、かつディスク挿入工程時のベース部材に対して確実に位置決めすることが可能となる。
【０２４２】
また、各カートリッジ収納部の第１の開放状態と第２の開放状態で、支持ベース部材に設けた同じ本体位置決め穴を使用して、各々、ディスク装置およびディスク挿入工程時のベースに位置決めするため、双方に設ける位置決めのためのピンを共通位置にすることができ、この他の検査設備等も含めて、共通設計にすることが可能となる。特に、ディスクそのものの検査を行う際にはディスク装置そのものを検査設備の一部として使用する場合に有効である。
【０２４３】
また本発明のディスクカートリッジによれば、各収納部位置決め穴と、同じ位置決めピンで位置決め可能な本体位置決め穴Ａを設けることにより、第１の開放状態でディスクカートリッジに収納されるディスクをディスク装置にて使用する際には、各ディスク収納部と支持ベース部材を第１の開放状態で確実に保持し、かつディスク装置に対して確実に位置決めすることが可能となる。
【０２４４】
また本発明のディスクカートリッジによれば、各収納部位置決め穴と、同じ位置決めピンで位置決め可能な本体位置決め穴Ｂを設けることにより、第２の開放状態でディスクカートリッジへディスクを挿入する工程において、各ディスク収納部と支持ベース部材を第２の開放状態で確実に保持し、かつディスク挿入工程時のベース部材に対して確実に位置決めすることが可能となる。
【０２４５】
また、各カートリッジ収納部の第１の開放状態と第２の開放状態で、支持ベース部材に設けられた各々異なる本体位置決め穴Ａおよび本体位置決め穴Ｂを使用して、各々、ディスク装置での使用時およびディスク挿入工程時のベースに位置決めがされるため、第１の開放状態でディスク装置にて使用する場合に誤って第２の開放状態となっていたり、第２の開放状態でディスク挿入工程を行う場合に誤って第１の開放状態となっていたりするという、誤作業を防止することが可能となる。
【０２４６】
また本発明のディスクカートリッジによれば、付勢部位を板状バネで構成することにより、第２のスライド状態から第１のスライド状態へ戻すための付勢機能を簡便な構成で実現することが可能となる。
【０２４７】
また本発明のディスクカートリッジによれば、付勢部位をロック部材と一体化することにより、部品点数を削減することが可能となる。 
【０２４８】
また本発明のディスクカートリッジによれば、各ロック部材を樹脂材料とすることにより、低コストで形状自由度を高く構成することが可能となる。
【０２４９】
また本発明のディスクカートリッジによれば、ロックガイド部を両ディスク収納部に収納されたディスクと同心状に形成されることにより、各ロック部材の動作ガイドを省スペースで構成することが可能となる。
【０２５０】
また本発明のディスクカートリッジによれば、各ディスク収納部が閉塞した状態から開放状態となることを阻止するロック部材を、各ディスク収納部の各々に対して設けることにより、外乱に強く確実にロック機能を果たすことが可能となる。
【０２５１】
また本発明のディスクカートリッジによれば、回避部を、回転支持部を中心とした円弧状の切り欠きとすることにより、必要最小限の領域で効率よく構築できる。
【０２５２】
また本発明のディスクカートリッジによれば、係止凸部を、回転支持部を中心とした円弧状のリブの一部とすることにより、必要最小限の領域で効率よく構築できる。
【産業上の利用可能性】
【０２５３】
本発明のディスクカートリッジは、種々の記録再生形式のディスク状記録媒体を保持するのに適している。また、落下衝撃や踏み付け等の厳しい外乱等に対して、優れた堅牢性と高い防塵性を備え、記録密度の高い記録媒体を携帯保持する場合に非常に適している。また、カートリッジ形状に対してヘッド開口部を大きくすることが可能であるため、小型のディスクドライブ装置においても大型のディスク用のヘッドを使用することができる。したがって、ディスクビデオカメラ等小型のディスクドライブ装置においても汎用の大型ヘッドも使用可能なディスクカートリッジを提供することができる。
【０２５４】
上述の記載は発明の実施例であると理解されるべきである。種々の代替や変更は、当業者によって、発明から逸脱することなく案出することができる。したがって、本発明は、付属の請求項の範囲内におけるすべてのそのような代替や変更および変形を包含することが意図される。
【図面の簡単な説明】
【０２５５】
【図１】本発明によるディスクカートリッジの第１の実施形態をディスクのラベル面側から見た斜視図であり、（ａ）は開放した状態を示し、（ｂ）は閉塞した状態を示している。
【図２】本発明によるディスクカートリッジの第１の実施形態をディスクの情報記録面側から上方から見た斜視図であり、（ａ）は開放した状態を示し、（ｂ）は閉塞した状態を示している。
【図３】本発明によるディスクカートリッジの第１の実施形態をディスクのラベル面側から見た平面図であり、（ａ）は開放した状態を示し、（ｂ）は閉塞した状態を示している。
【図４】本発明によるディスクカートリッジの第１の実施形態をディスクの情報記録面側から見た平面図であり、（ａ）は開放した状態を示し、（ｂ）は閉塞した状態を示している。
【図５】本発明によるディスクカートリッジの第１の実施形態におけるヘッド開口部とチャッキング開口部を示した平面図である。
【図６】本発明によるディスクカートリッジの第１の実施形態の構造を示す分解斜視図である。
【図７】本発明によるディスクカートリッジの第１の実施形態において、支持ベース部材上体を取り除いた残りの部分の構造を示す平面図であって、（ａ）は開放した状態を示し、（ｂ）は閉塞した状態を示している。
【図８】本発明によるディスクカートリッジの第１の実施形態の断面図である。
【図９】本発明によるディスクカートリッジの第１の実施形態において、支持ベース部材上体を取り除いた残りの部分の構造を示す開放した状態の平面図であって、ディスク収納部にディスクの位置決め部材を設けた場合の図である。
【図１０】本発明によるディスクカートリッジの第１の実施形態において、支持ベース部材上体を取り除いた残りの部分の構造を示す平面図であって、（ａ）は１つのロック部材を解除した状態を示し、（ｂ）は２つのロック部材を同時に解除した状態を示している。
【図１１】（ａ）および（ｂ）は、本発明によるディスクカートリッジの第１の実施形態におけるロック部材を示した側面図である。
【図１２】本発明によるディスクカートリッジの第２の実施形態をディスクのラベル面側から見た斜視図であり、（ａ）は開放した状態を示し、（ｂ）は閉塞した状態を示している。
【図１３】本発明によるディスクカートリッジの第２の実施形態をディスクの情報記録面側から見た斜視図であり、（ａ）は開放した状態を示し、（ｂ）は閉塞した状態を示している。
【図１４】本発明によるディスクカートリッジの第２の実施形態をディスクのラベル面側から見た平面図であり、（ａ）は開放した状態を示し、（ｂ）は閉塞した状態を示している。
【図１５】本発明によるディスクカートリッジの第２の実施形態をディスクの情報記録面側から見た平面図であり、（ａ）は開放した状態を示し、（ｂ）は閉塞した状態を示している。
【図１６】本発明によるディスクカートリッジの第２の実施形態におけるヘッド開口部とチャッキング開口部を示した平面図である。
【図１７】本発明によるディスクカートリッジの第２の実施形態の構造を示す斜視図である。
【図１８】本発明によるディスクカートリッジの第２の実施形態の断面図である。
【図１９】本発明によるディスクカートリッジの第２の実施形態における支持ベース部材にロック機能を設けた形態であって、（ａ）は、ディスクのラベル面側から見た斜視図であり、（ｂ）は、ディスクの情報記録面側から見た斜視図である。
【図２０】本発明によるディスクカートリッジの第３の実施形態において、支持ベース部材上体を取り除いた残りの部分の構造を示す斜視図であって、（ａ）はディスクを着脱することができる第２の開放状態を示し、（ｂ）はディスクへ記録もしくは再生する第１の開放状態を示している。
【図２１】本発明によるディスクカートリッジの第３の実施形態において、支持ベース部材上体を取り除いた残りの部分の構造を示す平面図であって、（ａ）はディスクを着脱することができる第２の開放状態を示し、（ｂ）はディスクへ記録もしくは再生する第１の開放状態を示している。
【図２２】本発明によるディスクカートリッジの第４の実施形態の構造を示す斜視図であって、支持ベース部材上体と支持ベース部材下体を連結した支持ベース部材を示している。
【図２３】本発明によるディスクカートリッジの第４の実施形態の構造を示す斜視図であって、支持ベース部材上体と支持ベース部材下体とロック部材を連結した支持ベース部材を示している。
【図２４】本発明によるディスクカートリッジの第５の実施の形態を示す分解斜視図である。
【図２５】本発明によるディスクカートリッジの第５の実施形態において、第１および第２のディスク収納部を組み込む様子を示す斜視図である。
【図２６】本発明によるディスクカートリッジの第５の実施形態において、支持ベース部材上体を組み込む様子を示す斜視図である。
【図２７】本発明によるディスクカートリッジの第５の実施形態において、第１および第２のロック部材を組み込む様子を示す斜視図である。
【図２８】本発明によるディスクカートリッジの第５の実施形態において、第１および第２のロック部材を組み込む様子を示す平面図である。
【図２９】本発明によるディスクカートリッジの第５の実施形態において、支持ベース部材下体側から第１および第２のディスク収納部を透視した状態を示す図である。
【図３０】本発明によるディスクカートリッジの第５の実施形態において、第２の開放状態でディスクを挿入する様子を示す図である。
【図３１】本発明によるディスクカートリッジの第５の実施形態において、ディスクを挿入した後に第１および第２のディスク収納部を閉塞する様子を示す図である。
【図３２】本発明によるディスクカートリッジの第５の実施形態において、ディスクを挿入した後に第１および第２のディスク収納部を閉塞する様子を示す図である。
【図３３】本発明によるディスクカートリッジの第５の実施形態において、ディスクを挿入した後に第１および第２のディスク収納部を閉塞する様子を示す図である。
【図３４】本発明によるディスクカートリッジの第５の実施形態において、ディスクを挿入した後に第１および第２のディスク収納部を閉塞した状態を示す図である。
【図３５】本発明によるディスクカートリッジの第５の実施形態において、第１および第２のロック部材を組み込む部位を示す図である。
【図３６】本発明によるディスクカートリッジの第５の実施形態において、第１および第２のロック部材を組み込んだ後の、支持ベース部材下体側から第１および第２のディスク収納部を透視した状態を示す図である。
【図３７】本発明によるディスクカートリッジの第５の実施形態において、第１および第２のロック部材を係止する構成を示す図である。
【図３８】本発明によるディスクカートリッジの第５の実施形態において、第１および第２のロック部材を解除した状態を示す図である。
【図３９】本発明によるディスクカートリッジの第５の実施形態において、第１の開放状態を示す図である。
【図４０】本発明によるディスクカートリッジの第５の実施形態において位置決め穴の位置を変更した形態を示す分解斜視図である。
【図１（ａ）】
2009534777.tif 000003
【図１（ｂ）】
2009534777.tif 000004
【図２（ａ）】
2009534777.tif 000005
【図２（ｂ）】
2009534777.tif 000006
【図３（ａ）】
2009534777.tif 000007
【図３（ｂ）】
2009534777.tif 000008
【図４（ａ）】
2009534777.tif 000009
【図４（ｂ）】
2009534777.tif 000010
【図５】
2009534777.tif 000011
【図６】
2009534777.tif 000012
【図７（ａ）】
2009534777.tif 000013
【図７（ｂ）】
2009534777.tif 000014
【図８】
2009534777.tif 000015
【図９】
2009534777.tif 000016
【図１０（ａ）】
2009534777.tif 000017
【図１０（ｂ）】
2009534777.tif 000018
【図１１（ａ）】
2009534777.tif 000019
【図１１（ｂ）】
2009534777.tif 000020
【図１２（ａ）】
2009534777.tif 000021
【図１２（ｂ）】
2009534777.tif 000022
【図１３（ａ）】
2009534777.tif 000023
【図１３（ｂ）】
2009534777.tif 000024
【図１４（ａ）】
2009534777.tif 000025
【図１４（ｂ）】
2009534777.tif 000026
【図１５（ａ）】
2009534777.tif 000027
【図１５（ｂ）】
2009534777.tif 000028
【図１６】
2009534777.tif 000029
【図１７】
2009534777.tif 000030
【図１８】
2009534777.tif 000031
【図１９（ａ）】
2009534777.tif 000032
【図１９（ｂ）】
2009534777.tif 000033
【図２０】
2009534777.tif 000034
【図２１（ａ）】
2009534777.tif 000035
【図２１（ｂ）】
2009534777.tif 000036
【図２２】
2009534777.tif 000037
【図２３】
2009534777.tif 000038
【図２４】
2009534777.tif 000039
【図２５】
2009534777.tif 000040
【図２６】
2009534777.tif 000041
【図２７】
2009534777.tif 000042
【図２８】
2009534777.tif 000043
【図２９】
2009534777.tif 000044
【図３０】
2009534777.tif 000045
【図３１】
2009534777.tif 000046
【図３２】
2009534777.tif 000047
【図３３】
2009534777.tif 000048
【図３４】
2009534777.tif 000049
【図３５】
2009534777.tif 000050
【図３６】
2009534777.tif 000051
【図３７】
2009534777.tif 000052
【図３８】
2009534777.tif 000053
【図３９】
2009534777.tif 000054
【図４０】
2009534777.tif 000055
【国際調査報告】
2009534777.tif 000056
2009534777.tif 000057
2009534777.tif 000058